(57)【要約】  測位基準信号設定方法、受信方法及び機器を提供する。該設定方法において、測位基準信号ＰＲＳと特定の下り信号との間の空間疑似コロケーションＱＣＬ関係に基づいて、測位基準信号ＰＲＳと特定の下り信号に占有されるリソースを決定するための設定情報を送信することを含む。【選択図】  図１
2021529495.tif 000002
【特許請求の範囲】
【請求項１】
ネットワーク機器に応用される測位基準信号設定方法であって、
測位基準信号ＰＲＳと特定の下り信号との間の空間疑似コロケーションＱＣＬ関係に基づいて、前記測位基準信号ＰＲＳと前記特定の下り信号に占有されるリソースを決定するための設定情報を送信することを含み、
前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む、測位基準信号設定方法。
【請求項２】
前記特定の下り信号に前記チャネル状態情報基準信号ＣＳＩ−ＲＳが含まれ、且つ前記測位基準信号ＰＲＳと前記チャネル状態情報基準信号ＣＳＩ−ＲＳとの間に空間疑似コロケーションＱＣＬ関係が存在する場合、前記設定情報は、前記測位基準信号ＰＲＳと前記チャネル状態情報基準信号ＣＳＩ−ＲＳとが同一の直交周波数分割多重ＯＦＤＭシンボルを占有することを含み、
前記特定の下り信号に前記チャネル状態情報基準信号ＣＳＩ−ＲＳが含まれ、且つ前記測位基準信号ＰＲＳと前記チャネル状態情報基準信号ＣＳＩ−ＲＳとの間に空間疑似コロケーションＱＣＬ関係がない場合、前記設定情報は、前記測位基準信号ＰＲＳと前記チャネル状態情報基準信号ＣＳＩ−ＲＳとが異なる直交周波数分割多重ＯＦＤＭシンボルを占有することを含む、請求項１に記載の測位基準信号設定方法。
【請求項３】
前記測位基準信号ＰＲＳと前記チャネル状態情報基準信号ＣＳＩ−ＲＳとが同一の直交周波数分割多重ＯＦＤＭシンボルを占有することは、
前記測位基準信号ＰＲＳと前記チャネル状態情報基準信号ＣＳＩ−ＲＳとが同一の直交周波数分割多重ＯＦＤＭシンボル上の異なるリソースエレメントＲＥを周波数分割多重すること、又は、前記測位基準信号ＰＲＳと前記チャネル状態情報基準信号ＣＳＩ−ＲＳが前記直交周波数分割多重ＯＦＤＭシンボル内の同一のＲＥで送信される場合、前記測位基準信号ＰＲＳと前記チャネル状態情報基準信号ＣＳＩ−ＲＳとが前記同一のＲＥを共有することを含む、請求項２に記載の測位基準信号設定方法。
【請求項４】
前記チャネル状態情報基準信号ＣＳＩ−ＲＳは、
トラッキング用チャネル状態情報基準信号ＣＳＩ−ＲＳ、物理層基準信号受信電力Ｌ１−ＲＳＲＰを算出するためのチャネル状態情報基準信号ＣＳＩ−ＲＳ、又は移動性のためのチャネル状態情報基準信号ＣＳＩ−ＲＳのうちの１つ又は複数を含む、請求項１〜３のいずれか１項に記載の測位基準信号設定方法。
【請求項５】
前記特定の下り信号に前記ＰＤＳＣＨが含まれ、且つ前記測位基準信号ＰＲＳと前記ＰＤＳＣＨとの間に空間疑似コロケーションＱＣＬ関係が存在する場合、前記設定情報は、前記測位基準信号ＰＲＳと前記ＰＤＳＣＨとが同一の直交周波数分割多重ＯＦＤＭシンボルを占有すること、又は、前記測位基準信号ＰＲＳと前記ＰＤＳＣＨとが異なる直交周波数分割多重ＯＦＤＭシンボルを占有することを含み、
前記特定の下り信号に前記ＰＤＳＣＨが含まれ、且つ前記測位基準信号ＰＲＳと前記ＰＤＳＣＨとの間に空間疑似コロケーションＱＣＬ関係がない場合、前記設定情報は、前記測位基準信号ＰＲＳと前記ＰＤＳＣＨとが異なる直交周波数分割多重ＯＦＤＭシンボルを占有することを含む、請求項１に記載の測位基準信号設定方法。
【請求項６】
前記測位基準信号ＰＲＳと前記ＰＤＳＣＨとが同一の直交周波数分割多重ＯＦＤＭシンボルを占有することは、
前記測位基準信号ＰＲＳに対して前記ＰＤＳＣＨをレートマッチングすること、又は、前記測位基準信号ＰＲＳと前記ＰＤＳＣＨが前記直交周波数分割多重ＯＦＤＭシンボル内の同一のＲＥで送信される場合、前記ＲＥにマッピングされた前記ＰＤＳＣＨが前記測位基準信号ＰＲＳによってパンクチャされることを含み、
前記測位基準信号ＰＲＳと前記ＰＤＳＣＨとの間に空間疑似コロケーションＱＣＬ関係が存在する場合、前記測位基準信号ＰＲＳと前記ＰＤＳＣＨとが異なる直交周波数分割多重ＯＦＤＭシンボルを占有することは、
前記測位基準信号ＰＲＳと前記ＰＤＳＣＨとが同一のスロット内の異なる直交周波数分割多重ＯＦＤＭシンボルを占有すること、又は、前記測位基準信号ＰＲＳと前記ＰＤＳＣＨとが異なるスロット内の直交周波数分割多重ＯＦＤＭシンボルを占有することを含む、請求項５に記載の測位基準信号設定方法。
【請求項７】
前記特定の下り信号に前記ＰＤＣＣＨが含まれ、且つ前記測位基準信号ＰＲＳと前記ＰＤＣＣＨとの間に空間疑似コロケーションＱＣＬ関係が存在する場合、前記設定情報は、前記測位基準信号ＰＲＳと前記ＰＤＣＣＨとが同一の直交周波数分割多重ＯＦＤＭシンボルを占有すること、又は、前記測位基準信号ＰＲＳと前記ＰＤＣＣＨとが異なる直交周波数分割多重ＯＦＤＭシンボルを占有することを含み、
前記特定の下り信号に前記ＰＤＣＣＨが含まれ、且つ前記測位基準信号ＰＲＳと前記ＰＤＣＣＨとの間に空間疑似コロケーションＱＣＬ関係がない場合、前記設定情報は、前記測位基準信号ＰＲＳと前記ＰＤＣＣＨとが異なる直交周波数分割多重ＯＦＤＭシンボルを占有することを含む、請求項１に記載の測位基準信号設定方法。
【請求項８】
前記測位基準信号ＰＲＳと前記ＰＤＣＣＨとが同一の直交周波数分割多重ＯＦＤＭシンボルを占有することは、
前記測位基準信号ＰＲＳに対して前記ＰＤＣＣＨをレートマッチングすること、又は、前記測位基準信号ＰＲＳと前記ＰＤＣＣＨが前記直交周波数分割多重ＯＦＤＭシンボル内の同一のＲＥで送信される場合、前記ＲＥにマッピングされた前記ＰＤＣＣＨが前記測位基準信号ＰＲＳによってパンクチャされることを含む、請求項７に記載の測位基準信号設定方法。
【請求項９】
前記特定の下り信号に前記同期信号ブロックＳＳＢが含まれ、且つ前記測位基準信号ＰＲＳと前記同期信号ブロックＳＳＢとの間に空間疑似コロケーションＱＣＬ関係が存在する場合、前記設定情報は、前記測位基準信号ＰＲＳと前記同期信号ブロックＳＳＢとが同一の直交周波数分割多重ＯＦＤＭシンボルを占有すること、又は、前記測位基準信号ＰＲＳと前記同期信号ブロックＳＳＢとが異なる直交周波数分割多重ＯＦＤＭシンボルを占有することを含み、
前記特定の下り信号に前記同期信号ブロックＳＳＢが含まれ、且つ前記測位基準信号ＰＲＳと前記同期信号ブロックＳＳＢとの間に空間疑似コロケーションＱＣＬ関係がない場合、前記設定情報は、前記測位基準信号ＰＲＳと前記同期信号ブロックＳＳＢとが異なる直交周波数分割多重ＯＦＤＭシンボルを占有することを含む、請求項１に記載の測位基準信号設定方法。
【請求項１０】
前記測位基準信号ＰＲＳと前記同期信号ブロックＳＳＢとが同一の直交周波数分割多重ＯＦＤＭシンボルを占有する場合、前記測位基準信号ＰＲＳと前記同期信号ブロックＳＳＢとは、同じサブキャリア間隔を有する、請求項９に記載の測位基準信号設定方法。
【請求項１１】
前記測位基準信号ＰＲＳと前記同期信号ブロックＳＳＢとが同一の直交周波数分割多重ＯＦＤＭシンボルを占有することは、
前記直交周波数分割多重ＯＦＤＭシンボルで、前記測位基準信号ＰＲＳによって占有される周波数領域位置が、前記同期信号ブロックＳＳＢ内の物理ブロードキャストチャネルＰＢＣＨによって占有されるＲＢｓ外部のリソースブロックＲＢｓにあること、
前記直交周波数分割多重ＯＦＤＭシンボル内の同一のＲＥで前記測位基準信号ＰＲＳと前記同期信号ブロックＳＳＢとが送信される場合、前記ＲＥにマッピングされた前記測位基準信号ＰＲＳが前記同期信号ブロックＳＳＢによってパンクチャされること、
前記直交周波数分割多重ＯＦＤＭシンボル内の同一のＲＥで前記測位基準信号ＰＲＳと前記同期信号ブロックＳＳＢとが送信される場合、前記ＲＥにマッピングされた前記同期信号ブロックＳＳＢが前記測位基準信号ＰＲＳによってパンクチャされること、
前記測位基準信号ＰＲＳと前記同期信号ブロックＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記物理ブロードキャストチャネル復調基準信号ＰＢＣＨ  ＤＭＲＳとが前記ＲＥを共有し、且つ前記測位基準信号ＰＲＳと前記物理ブロードキャストチャネル復調基準信号ＰＢＣＨ  ＤＭＲＳ以外の同期信号ブロックＳＳＢが前記直交周波数分割多重ＯＦＤＭシンボル内の同一のＲＥで送信される場合、前記ＲＥにマッピングされた前記測位基準信号ＰＲＳが前記物理ブロードキャストチャネル復調基準信号ＰＢＣＨ  ＤＭＲＳ以外の同期信号ブロックＳＳＢによってパンクチャされること、又は、
前記測位基準信号ＰＲＳと前記同期信号ブロックＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記物理ブロードキャストチャネル復調基準信号ＰＢＣＨ  ＤＭＲＳとが前記ＲＥを共有し、且つ前記測位基準信号ＰＲＳと前記物理ブロードキャストチャネル復調基準信号ＰＢＣＨ  ＤＭＲＳ以外の同期信号ブロックＳＳＢが前記直交周波数分割多重ＯＦＤＭシンボル内の同一のＲＥで送信される場合、前記ＲＥにマッピングされた前記物理ブロードキャストチャネル復調基準信号ＰＢＣＨ  ＤＭＲＳ以外の同期信号ブロックＳＳＢが前記測位基準信号ＰＲＳによってパンクチャされることのうちの１つを含む、請求項１０に記載の測位基準信号設定方法。
【請求項１２】
上位レイヤシグナリング、ＭＡＣレイヤシグナリング、又は下り制御情報ＤＣＩのうちの１つ又は複数に基づいて、前記設定情報を送信する、請求項１に記載の測位基準信号設定方法。
【請求項１３】
前記設定情報に基づいて、前記測位基準信号ＰＲＳ及び前記特定の下り信号を送信することを更に含む、請求項１に記載の測位基準信号設定方法。
【請求項１４】
端末機器に応用される測位基準信号受信方法であって、
測位基準信号ＰＲＳと特定の下り信号との間の空間疑似コロケーションＱＣＬ関係に基づいて、ネットワーク機器によって送信された設定情報であって、前記測位基準信号ＰＲＳと前記特定の下り信号に占有されるリソースを決定するための設定情報を受信することを含み、
前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む、測位基準信号受信方法。
【請求項１５】
前記特定の下り信号に前記チャネル状態情報基準信号ＣＳＩ−ＲＳが含まれ、且つ前記測位基準信号ＰＲＳと前記チャネル状態情報基準信号ＣＳＩ−ＲＳとの間に空間疑似コロケーションＱＣＬ関係が存在する場合、前記設定情報は、前記測位基準信号ＰＲＳと前記チャネル状態情報基準信号ＣＳＩ−ＲＳとが同一の直交周波数分割多重ＯＦＤＭシンボルを占有することを含み、
前記特定の下り信号に前記チャネル状態情報基準信号ＣＳＩ−ＲＳが含まれ、且つ前記測位基準信号ＰＲＳと前記チャネル状態情報基準信号ＣＳＩ−ＲＳとの間に空間疑似コロケーションＱＣＬ関係がない場合、前記設定情報は、前記測位基準信号ＰＲＳと前記チャネル状態情報基準信号ＣＳＩ−ＲＳとが異なる直交周波数分割多重ＯＦＤＭシンボルを占有することを含む、請求項１４に記載の測位基準信号受信方法。
【請求項１６】
前記測位基準信号ＰＲＳと前記チャネル状態情報基準信号ＣＳＩ−ＲＳとが同一の直交周波数分割多重ＯＦＤＭシンボルを占有することは、
前記測位基準信号ＰＲＳと前記チャネル状態情報基準信号ＣＳＩ−ＲＳとが同一の直交周波数分割多重ＯＦＤＭシンボル上の異なるリソースエレメントＲＥを周波数分割多重すること、又は、前記測位基準信号ＰＲＳと前記チャネル状態情報基準信号ＣＳＩ−ＲＳが前記直交周波数分割多重ＯＦＤＭシンボル内の同一のＲＥで送信される場合、前記測位基準信号ＰＲＳと前記チャネル状態情報基準信号ＣＳＩ−ＲＳとが前記同一のＲＥを共有することを含む、請求項１５に記載の測位基準信号受信方法。
【請求項１７】
前記チャネル状態情報基準信号ＣＳＩ−ＲＳは、
トラッキング用チャネル状態情報基準信号ＣＳＩ−ＲＳ、物理層基準信号受信電力Ｌ１−ＲＳＲＰを算出するためのチャネル状態情報基準信号ＣＳＩ−ＲＳ、又は移動性のためのチャネル状態情報基準信号ＣＳＩ−ＲＳのうちの１つ又は複数を含む、請求項１４〜１６のいずれか１項に記載の測位基準信号受信方法。
【請求項１８】
前記特定の下り信号に前記ＰＤＳＣＨが含まれ、且つ前記測位基準信号ＰＲＳと前記ＰＤＳＣＨとの間に空間疑似コロケーションＱＣＬ関係が存在する場合、前記設定情報は、前記測位基準信号ＰＲＳと前記ＰＤＳＣＨとが同一の直交周波数分割多重ＯＦＤＭシンボルを占有すること、又は、前記測位基準信号ＰＲＳと前記ＰＤＳＣＨとが異なる直交周波数分割多重ＯＦＤＭシンボルを占有することを含み、
前記特定の下り信号に前記ＰＤＳＣＨが含まれ、且つ前記測位基準信号ＰＲＳと前記ＰＤＳＣＨとの間に空間疑似コロケーションＱＣＬ関係がない場合、前記設定情報は、前記測位基準信号ＰＲＳと前記ＰＤＳＣＨとが異なる直交周波数分割多重ＯＦＤＭシンボルを占有することを含む、請求項１４に記載の測位基準信号受信方法。
【請求項１９】
前記測位基準信号ＰＲＳと前記ＰＤＳＣＨとが同一の直交周波数分割多重ＯＦＤＭシンボルを占有することは、
前記測位基準信号ＰＲＳに対して前記ＰＤＳＣＨをレートマッチングすること、又は、前記測位基準信号ＰＲＳと前記ＰＤＳＣＨが前記直交周波数分割多重ＯＦＤＭシンボル内の同一のＲＥで送信される場合、前記ＲＥにマッピングされた前記ＰＤＳＣＨが前記測位基準信号ＰＲＳによってパンクチャされることを含み、
前記測位基準信号ＰＲＳと前記ＰＤＳＣＨとの間に空間疑似コロケーションＱＣＬ関係が存在する場合、前記測位基準信号ＰＲＳと前記ＰＤＳＣＨとが異なる直交周波数分割多重ＯＦＤＭシンボルを占有することは、
前記測位基準信号ＰＲＳと前記ＰＤＳＣＨとが同一のスロット内の異なる直交周波数分割多重ＯＦＤＭシンボルを占有すること、又は、前記測位基準信号ＰＲＳと前記ＰＤＳＣＨとが異なるスロット内の直交周波数分割多重ＯＦＤＭシンボルを占有することを含む、請求項１８に記載の測位基準信号受信方法。
【請求項２０】
前記特定の下り信号に前記ＰＤＣＣＨが含まれ、且つ前記測位基準信号ＰＲＳと前記ＰＤＣＣＨとの間に空間疑似コロケーションＱＣＬ関係が存在する場合、前記設定情報は、前記測位基準信号ＰＲＳと前記ＰＤＣＣＨとが同一の直交周波数分割多重ＯＦＤＭシンボルを占有すること、又は、前記測位基準信号ＰＲＳと前記ＰＤＣＣＨとが異なる直交周波数分割多重ＯＦＤＭシンボルを占有することを含み、
前記特定の下り信号に前記ＰＤＣＣＨが含まれ、且つ前記測位基準信号ＰＲＳと前記ＰＤＣＣＨとの間に空間疑似コロケーションＱＣＬ関係がない場合、前記設定情報は、前記測位基準信号ＰＲＳと前記ＰＤＣＣＨとが異なる直交周波数分割多重ＯＦＤＭシンボルを占有することを含む、請求項１４に記載の測位基準信号受信方法。
【請求項２１】
前記測位基準信号ＰＲＳと前記ＰＤＣＣＨとが同一の直交周波数分割多重ＯＦＤＭシンボルを占有することは、
前記測位基準信号ＰＲＳに対して前記ＰＤＣＣＨをレートマッチングすること、又は、前記測位基準信号ＰＲＳと前記ＰＤＣＣＨが前記直交周波数分割多重ＯＦＤＭシンボル内の同一のＲＥで送信される場合、前記ＲＥにマッピングされた前記ＰＤＣＣＨが前記測位基準信号ＰＲＳによってパンクチャされることを含む、請求項２０に記載の測位基準信号受信方法。
【請求項２２】
前記特定の下り信号に前記同期信号ブロックＳＳＢが含まれ、且つ前記測位基準信号ＰＲＳと前記同期信号ブロックＳＳＢとの間に空間疑似コロケーションＱＣＬ関係が存在する場合、前記設定情報は、前記測位基準信号ＰＲＳと前記同期信号ブロックＳＳＢとが同一の直交周波数分割多重ＯＦＤＭシンボルを占有すること、又は、前記測位基準信号ＰＲＳと前記同期信号ブロックＳＳＢとが異なる直交周波数分割多重ＯＦＤＭシンボルを占有することを含み、
前記特定の下り信号に前記同期信号ブロックＳＳＢが含まれ、且つ前記測位基準信号ＰＲＳと前記同期信号ブロックＳＳＢとの間に空間疑似コロケーションＱＣＬ関係がない場合、前記設定情報は、前記測位基準信号ＰＲＳと前記同期信号ブロックＳＳＢとが異なる直交周波数分割多重ＯＦＤＭシンボルを占有することを含む、請求項１４に記載の測位基準信号受信方法。
【請求項２３】
前記測位基準信号ＰＲＳと前記同期信号ブロックＳＳＢとが同一の直交周波数分割多重ＯＦＤＭシンボルを占有する場合、前記測位基準信号ＰＲＳと前記同期信号ブロックＳＳＢとは、同じサブキャリア間隔を有する、請求項２２に記載の測位基準信号受信方法。
【請求項２４】
前記測位基準信号ＰＲＳと前記同期信号ブロックＳＳＢとが同一の直交周波数分割多重ＯＦＤＭシンボルを占有することは、
前記直交周波数分割多重ＯＦＤＭシンボルで、前記測位基準信号ＰＲＳによって占有される周波数領域位置が、前記同期信号ブロックＳＳＢ内の物理ブロードキャストチャネルＰＢＣＨによって占有されるＲＢｓ外部のリソースブロックＲＢｓにあること、
前記直交周波数分割多重ＯＦＤＭシンボル内の同一のＲＥで前記測位基準信号ＰＲＳと前記同期信号ブロックＳＳＢとが送信される場合、前記ＲＥにマッピングされた前記測位基準信号ＰＲＳが前記同期信号ブロックＳＳＢによってパンクチャされること、
前記直交周波数分割多重ＯＦＤＭシンボル内の同一のＲＥで前記測位基準信号ＰＲＳと前記同期信号ブロックＳＳＢとが送信される場合、前記ＲＥにマッピングされた前記同期信号ブロックＳＳＢが前記測位基準信号ＰＲＳによってパンクチャされること、
前記測位基準信号ＰＲＳと前記同期信号ブロックＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記物理ブロードキャストチャネル復調基準信号ＰＢＣＨ  ＤＭＲＳとが前記ＲＥを共有し、且つ前記測位基準信号ＰＲＳと前記物理ブロードキャストチャネル復調基準信号ＰＢＣＨ  ＤＭＲＳ以外の同期信号ブロックＳＳＢが前記直交周波数分割多重ＯＦＤＭシンボル内の同一のＲＥで送信される場合、前記ＲＥにマッピングされた前記測位基準信号ＰＲＳが前記物理ブロードキャストチャネル復調基準信号ＰＢＣＨ  ＤＭＲＳ以外の同期信号ブロックＳＳＢによってパンクチャされること、又は、
前記測位基準信号ＰＲＳと前記同期信号ブロックＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記物理ブロードキャストチャネル復調基準信号ＰＢＣＨ  ＤＭＲＳとが前記ＲＥを共有し、且つ前記測位基準信号ＰＲＳと前記物理ブロードキャストチャネル復調基準信号ＰＢＣＨ  ＤＭＲＳ以外の同期信号ブロックＳＳＢが前記直交周波数分割多重ＯＦＤＭシンボル内の同一のＲＥで送信される場合、前記ＲＥにマッピングされた前記物理ブロードキャストチャネル復調基準信号ＰＢＣＨ  ＤＭＲＳ以外の同期信号ブロックＳＳＢが前記測位基準信号ＰＲＳによってパンクチャされることのうちの１つを含む、請求項２３に記載の測位基準信号受信方法。
【請求項２５】
前記測位基準信号ＰＲＳと前記同期信号ブロックＳＳＢとの間に空間疑似コロケーションＱＣＬ関係がない場合、前記端末が前記同期信号ブロックＳＳＢのみを受信する、請求項２２に記載の測位基準信号受信方法。
【請求項２６】
上位レイヤシグナリング、ＭＡＣレイヤシグナリング、又は下り制御情報ＤＣＩのうちの１つ又は複数に基づいて、前記設定情報を受信する、請求項１４に記載の測位基準信号受信方法。
【請求項２７】
前記設定情報に基づいて、前記測位基準信号ＰＲＳ及び前記特定の下り信号を受信することを更に含む、請求項１４に記載の測位基準信号受信方法。
【請求項２８】
測位基準信号ＰＲＳと特定の下り信号との間の空間疑似コロケーションＱＣＬ関係に基づいて、前記測位基準信号ＰＲＳと前記特定の下り信号に占有されるリソースを決定するための設定情報を送信する第１送信モジュールを含み、
前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む、ネットワーク機器。
【請求項２９】
測位基準信号ＰＲＳと特定の下り信号との間の空間疑似コロケーションＱＣＬ関係に基づいて、ネットワーク機器によって送信された設定情報であって、前記測位基準信号ＰＲＳと前記特定の下り信号に占有されるリソースを決定するための設定情報を受信する第１受信モジュールを含み、
前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む、端末機器。
【請求項３０】
メモリと、プロセッサと、前記メモリに格納されて前記プロセッサで実行される無線通信プログラムを含むネットワーク機器であって、
前記無線通信プログラムが前記プロセッサによって実行されると、請求項１〜１３のいずれか１項に記載の測位基準信号設定方法が実現される、ネットワーク機器。
【請求項３１】
メモリと、プロセッサと、前記メモリに格納されて前記プロセッサで実行される無線通信プログラムを含む端末機器であって、
前記無線通信プログラムが前記プロセッサによって実行されると、請求項１４〜２７のいずれか１項に記載の測位基準信号受信方法が実現される、端末機器。
【請求項３２】
無線通信プログラムが格納されているコンピュータ読み取り可能な媒体であって、
前記無線通信プログラムがプロセッサによって実行されると、請求項１〜１３のいずれか１項に記載の測位基準信号設定方法、又は、請求項１４〜２７のいずれか１項に記載の測位基準信号受信方法が実現される、コンピュータ読み取り可能な媒体。
【発明の詳細な説明】
【技術分野】
【０００１】
（関連出願の相互参照）
本願は、２０１８年７月６日に中国特許庁に提出された中国特許出願２０１８１０７３８２４６．７の優先権を主張し、その全ての内容が援用によりここに取り込まれる。
本開示は、通信技術分野に係り、具体的には測位基準信号設定方法、受信方法及び機器に係る。
【背景技術】
【０００２】
ロングタームエボリューションＬＴＥ（Ｌｏｎｇ  Ｔｅｒｍ  Ｅｖｏｌｕｔｉｏｎ）システムにおいて、測位基準信号ＰＲＳ（Ｐｏｓｉｔｉｏｎｉｎｇ  Ｒｅｆｅｒｅｎｃｅ  Ｓｉｇｎａｌ）は、測位基準信号の伝送のために設定されたダウンリンクサブフレームのリソースブロックでのみ伝送され、物理ブロードキャストチャネルＰＢＣＨ（Ｐｈｙｓｉｃａｌ  ｂｒｏａｄｃａｓｔ  ｃｈａｎｎｅｌ）、一次同期信号ＰＳＳ（Ｐｒｉｍａｒｙ  Ｓｙｎｃｈｒｏｎｉｚａｔｉｏｎ  Ｓｉｇｎａｌ）及び二次同期信号ＳＳＳ（Ｓｅｃｏｎｄａｒｙ  Ｓｙｎｃｈｒｏｎｉｚａｔｉｏｎ  Ｓｉｇｎａｌ）に割り当てられたリソースエレメントＲＥ（Ｒｅｓｏｕｒｃｅ  Ｅｌｅｍｅｎｔ、リソース粒子）にマッピングされることができず、いずれのアンテナポートのセル固有基準信号ともオーバーラップすることがない。
【０００３】
しかしながら、新規無線ＮＲ（Ｎｅｗ  Ｒａｄｉｏ）システムにおいて、ネットワーク機器がどのように測位基準信号ＰＲＳを設定するか不明であるため、端末機器ＵＥ（Ｕｓｅｒ  Ｅｑｕｉｐｍｅｎｔ）は、測位基準信号ＰＲＳを正しく受信できず、更に、測位基準信号ＰＲＳに基づく測位を行うことができない。本開示は、ＮＲシステムを例としてこれらの設定を説明するが、ＮＲシステムに限定されるものではない。
【発明の概要】
【発明が解決しようとする課題】
【０００４】
本開示の実施例は、端末機器ＵＥが測位基準信号ＰＲＳを正しく受信できず、測位基準信号ＰＲＳに基づく測位を行うことができないという問題を解決するために、測位基準信号設定方法、受信方法及び機器を提供する。
【課題を解決するための手段】
【０００５】
第１態様として、測位基準信号設定方法を提供し、
ネットワーク機器に応用される測位基準信号設定方法において、
測位基準信号ＰＲＳと特定の下り信号との間の空間疑似コロケーションＱＣＬ関係に基づいて、前記測位基準信号ＰＲＳと前記特定の下り信号に占有されるリソースを決定するための設定情報を送信することを含み、
ここで、前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む。
【０００６】
第２態様として、測位基準信号受信方法を提供し、
端末機器に応用される測位基準信号受信方法において、
測位基準信号ＰＲＳと特定の下り信号との間の空間疑似コロケーションＱＣＬ関係に基づいて、ネットワーク機器によって送信された設定情報であって、前記測位基準信号ＰＲＳと前記特定の下り信号に占有されるリソースを決定するための設定情報を受信することを含み、
ここで、前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む。
【０００７】
第３態様として、ネットワーク機器を提供し、
該ネットワーク機器は、
測位基準信号ＰＲＳと特定の下り信号との間の空間疑似コロケーションＱＣＬ関係に基づいて、前記測位基準信号ＰＲＳと前記特定の下り信号に占有されるリソースを決定するための設定情報を送信する第１送信モジュールを含み、
ここで、前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む。
【０００８】
第４態様として、端末機器を提供し、
該端末機器は、
測位基準信号ＰＲＳと特定の下り信号との間の空間疑似コロケーションＱＣＬ関係に基づいて、ネットワーク機器によって送信された設定情報であって、前記測位基準信号ＰＲＳと前記特定の下り信号に占有されるリソースを決定するための設定情報を受信する第１受信モジュールを含み、
ここで、前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む。
【０００９】
第５態様として、ネットワーク機器を提供し、
メモリと、プロセッサと、前記メモリに格納されて前記プロセッサで実行される無線通信プログラムを含むネットワーク機器において、
前記無線通信プログラムが前記プロセッサによって実行されると、第１態様に記載の方法が実現される。
【００１０】
第６態様として、端末機器を提供し、
メモリと、プロセッサと、前記メモリに格納されて前記プロセッサで実行される無線通信プログラムを含む端末機器において、
前記無線通信プログラムが前記プロセッサによって実行されると、第２態様に記載の方法が実現される。
【００１１】
第７態様として、コンピュータ読み取り可能な媒体を提供し、
無線通信プログラムが格納されているコンピュータ読み取り可能な媒体において、
前記無線通信プログラムがプロセッサによって実行されると、第１態様又は第２態様に記載の方法が実現される。
【発明の効果】
【００１２】
本開示の実施例において、前記測位基準信号ＰＲＳと特定の下り信号に占有されるリソースを決定するためのネットワーク機器からの設定情報により、端末機器が、測位基準信号ＰＲＳと特定の下り信号とが下り時間領域リソースを多重化するか否かを明確化でき、これにより測位基準信号ＰＲＳを正しく受信し、更に、受信した測位基準信号ＰＲＳに基づいて端末機器の測位を実現することができ、通信の有効性を向上させる。
【００１３】
本開示の実施例や関連技術の技術手段をより明確に説明するために、以下、実施例や関連技術の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００１４】
【図１】本開示の実施例に係る測位基準信号設定方法のフローチャートその１である。
【図２】本開示の実施例に係るＳＳＢリソースマッピング構造図である。
【図３】本開示の実施例に係る測位基準信号設定方法のフローチャートその２である。
【図４】本開示の実施例に係る測位基準信号受信方法のフローチャートその１である。
【図５】本開示の実施例に係る測位基準信号受信方法のフローチャートその２である。
【図６】本開示の実施例に係るネットワーク機器の構造図その１である。
【図７】本開示の実施例に係るネットワーク機器の構造図その２である。
【図８】本開示の実施例に係る端末機器の構造図その１である。
【図９】本開示の実施例に係る端末機器の構造図その２である。
【図１０】本開示の実施例に係るネットワーク機器の構造図その３である。
【図１１】本開示の実施例に係る端末機器の構造図その３である。
【発明を実施するための形態】
【００１５】
本開示の技術手段を当業者によりよく理解してもらうために、以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００１６】
なお、本開示の実施例の技術手段は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）システム、ＣＤＭＡ（Ｃｏｄｅ  Ｄｉｖｉｓｉｏｎ  Ｍｕｌｔｉｐｌｅ  Ａｃｃｅｓｓ）システム、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ＧＰＲＳ（Ｇｅｎｅｒａｌ  Ｐａｃｋｅｔ  Ｒａｄｉｏ  Ｓｅｒｖｉｃｅ）、ＬＴＥ（Ｌｏｎｇ  Ｔｅｒｍ  Ｅｖｏｌｕｔｉｏｎ）システム、ＬＴＥ  ＦＤＤ（Ｆｒｅｑｕｅｎｃｙ  Ｄｉｖｉｓｉｏｎ  Ｄｕｐｌｅｘ）システム、ＬＴＥ  ＴＤＤ（Ｔｉｍｅ  Ｄｉｖｉｓｉｏｎ  Ｄｕｐｌｅｘ）、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）又はＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、５Ｇシステム、又はＮＲ（Ｎｅｗ  Ｒａｄｉｏ）システムなど、様々な通信システムに応用可能である。
【００１７】
端末機器ＵＥ（Ｕｓｅｒ  Ｅｑｕｉｐｍｅｎｔ）は、移動端末（Ｍｏｂｉｌｅ  Ｔｅｒｍｉｎａｌ）、移動端末機器などと称されてもよく、ＲＡＮ（Ｒａｄｉｏ  Ａｃｃｅｓｓ  Ｎｅｔｗｏｒｋ）を介して少なくとも１つのコアネットワークと通信可能である。端末機器は、移動電話（又は「セルラー」電話と称される）などの移動端末や、携帯式、ポータブル式、ハンドヘルド式、コンピュータ内蔵式又は車載の移動装置など、移動端末を有するコンピュータであり、無線アクセスネットワークとは音声及び／又はデータのやり取りを行う。
【００１８】
ネットワーク機器は、無線アクセスネットワークに配置されて、測位基準信号設定機能を端末に提供するために用いられる装置である。前記ネットワーク機器は、基地局であってもよい。前記基地局は、ＧＳＭ又はＣＤＭＡにおける基地局ＢＴＳ（Ｂａｓｅ  Ｔｒａｎｓｃｅｉｖｅｒ  Ｓｔａｔｉｏｎ）であってもよく、ＷＣＤＭＡにおける基地局（ＮｏｄｅＢ）であってもよく、更に、ＬＴＥにおけるｅＮＢ又はｅ−ＮｏｄｅＢ（ｅｖｏｌｕｔｉｏｎａｌ  Ｎｏｄｅ  Ｂ）及び５Ｇ基地局（ｇＮＢ）、又はＬＴＥにおけるＥ−ＳＭＬＣ（Ｅｖｏｌｖｅｄ  Ｓｅｒｖｉｎｇ  Ｍｏｂｉｌｅ  Ｌｏｃａｔｉｏｎ  Ｃｅｎｔｅｒ）及び５ＧのＬＭＦ（Ｌｏｃａｔｉｏｎ  Ｍａｎａｇｅｍｅｎｔ  Ｆｕｎｃｔｉｏｎ）、及びその後の進化型通信システムにおけるネットワーク側機器であってもよいが、これらの用語は、本開示の保護範囲への限定にならない。
【００１９】
なお、具体的な実施例を記載する際に、各プロセスの番号の大きさは、実行順の前後を意味するのではなく、各プロセスの実行順は、その機能及び内在的な論理によって決められるものであり、本開示の実施例の実施プロセスに対しいっさい限定を設定しない。
【００２０】
なお、以下、単にＮＲシステムを例として、本開示の実施例に係る測位基準信号設定方法、受信方法及び装置を説明するが、本開示の実施例に係る測位基準信号設定方法、受信方法及び装置は、ＮＲシステムに限られず、他の通信システムにも応用可能である。
【００２１】
以下、まず図１〜図３を参照し、ネットワーク機器に応用される測位基準信号設定方法を説明する。
【００２２】
図１は、本開示の一実施例に係る、ネットワーク機器に応用される測位基準信号設定方法を示す。
図１に示すように、該方法において、測位基準信号ＰＲＳと特定の下り信号との間の空間疑似コロケーションＱＣＬ関係に基づいて、前記測位基準信号ＰＲＳと前記特定の下り信号に占有されるリソースを決定するための設定情報を送信するステップ１０１を含む。
【００２３】
ここで、特定の下り信号は、下りシステム共通信号又はシステム共通チャネルを含む。例えば、前記特定の下り信号は、チャネル状態基準信号ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌｓ）、物理下り共有チャネルＰＤＳＣＨ（Ｐｈｙｓｉｃａｌ  Ｄｏｗｎｌｉｎｋ  Ｓｈａｒｅｄ  Ｃｈａｎｎｅｌ）、物理下り制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）、同期信号ブロックＳＳＢ（Ｓｙｎｃｈｒｏｎｉｚａｔｉｏｎ  Ｓｉｇｎａｌ  Ｂｌｏｃｋ）等のシステム共通信号又はシステム共通チャネルのうちの１つ又は複数を含む。
【００２４】
以下、疑似コロケーションＱＣＬ（Ｑｕａｓｉ  Ｃｏ−ｌｏｃａｔｉｏｎ）関係を簡単に紹介する。
【００２５】
具体的には、２つのアンテナポートの信号が疑似コロケーションＱＣＬ関係を満たす場合、２つの信号が伝送されるチャネルのドップラーシフト、ドップラースプレッド、平均遅延、遅延スプレッド及び空間受信パラメータなどのパラメータのうちの少なくとも１つは、ほぼ同じである。疑似コロケーションＱＣＬ関係は、以下のいくつかのタイプを含む。
ＱＣＬタイプＡ（ＱＣＬ−ＴｙｐｅＡ）：｛ドップラーシフト、ドップラースプレッド、平均遅延、遅延スプレッド｝
ＱＣＬタイプＢ（ＱＣＬ−ＴｙｐｅＢ）：｛ドップラーシフト、ドップラースプレッド｝
ＱＣＬタイプＣ（ＱＣＬ−ＴｙｐｅＣ）：｛平均遅延、ドップラーシフト｝
ＱＣＬタイプＤ（ＱＣＬ−ＴｙｐｅＤ）：｛空間Ｒｘパラメータ｝。
【００２６】
一般に、測位基準信号ＰＲＳと特定の下り信号との間に空間疑似コロケーションＱＣＬ関係が存在する場合、上記設定情報は、測位基準信号ＰＲＳと特定の下り信号とが同じ（又は同一の）直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルを占有することを含む。もちろん、測位基準信号ＰＲＳと特定の下り信号との間に空間疑似コロケーションＱＣＬ関係があれば、上記配置情報は、測位基準信号ＰＲＳと特定の下り信号とが異なる直交周波数分割多重ＯＦＤＭシンボルを占有することを含んでもよい。測位基準信号ＰＲＳと特定の下り信号との間に空間疑似コロケーションＱＣＬ関係がない場合、上記配置情報は、測位基準信号ＰＲＳと特定の下り信号とが異なる直交周波数分割多重ＯＦＤＭシンボルを占有することを含む。以下、より具体的な実施例を通じて、測位基準信号ＰＲＳと特定の下り信号に占有されるリソースについて説明し、詳しくは、以下の記載を参照する。
【００２７】
なお、ネットワーク機器は、測位基準信号ＰＲＳと特定の下り信号とが同一の直交周波数分割多重ＯＦＤＭシンボルを占有するように設定し、又は測位基準信号ＰＲＳと特定の下り信号とが異なる直交周波数分割多重ＯＦＤＭシンボルを占有するように設定することで、測位基準信号ＰＲＳと特定の下り信号とが下り時間領域リソースを多重化又は多重化せず、即ち、測位基準信号ＰＲＳが特定の下り信号との衝突から回避するかを設定することを意図している。
【００２８】
本開示の実施例に係る測位基準信号設定方法において、前記測位基準信号ＰＲＳと特定の下り信号に占有されるリソースを決定するためのネットワーク機器からの設定情報により、端末機器が、測位基準信号ＰＲＳと特定の下り信号とが下り時間領域リソースを多重化するか否かを明確化でき、これにより測位基準信号ＰＲＳを正しく受信し、更に、受信した測位基準信号ＰＲＳに基づいて端末機器の測位を実現することができ、通信の有効性を向上させる。
【００２９】
以下、より具体的な実施例を参照し、ネットワーク機器から送信された設定情報に含まれる内容を説明する。
【００３０】
１つの実施例において、前記特定の下り信号に前記チャネル状態情報基準信号ＣＳＩ−ＲＳが含まれるとする。
【００３１】
一例として、前記測位基準信号ＰＲＳと前記チャネル状態情報基準信号ＣＳＩ−ＲＳとの間に空間疑似コロケーションＱＣＬ関係が存在する場合、前記設定情報は、前記測位基準信号ＰＲＳと前記チャネル状態情報基準信号ＣＳＩ−ＲＳとが同一の直交周波数分割多重ＯＦＤＭシンボルを占有することを含む。即ち、測位基準信号ＰＲＳとチャネル状態情報基準信号ＣＳＩ−ＲＳとが同じ時間領域リソースを多重化でき、端末機器が測位基準信号ＰＲＳとチャネル状態情報基準信号ＣＳＩ−ＲＳとを同時に受信できることを意味する。
【００３２】
具体的には、前記測位基準信号ＰＲＳと前記チャネル状態情報基準信号ＣＳＩ−ＲＳとが同一の直交周波数分割多重ＯＦＤＭシンボルを占有することは、前記測位基準信号ＰＲＳと前記チャネル状態情報基準信号ＣＳＩ−ＲＳとが同一の直交周波数分割多重ＯＦＤＭシンボル上の異なるリソースエレメントＲＥを周波数分割多重すること、又は、前記測位基準信号ＰＲＳと前記チャネル状態情報基準信号ＣＳＩ−ＲＳが前記直交周波数分割多重ＯＦＤＭシンボル内の同一のＲＥで送信される場合、前記測位基準信号ＰＲＳと前記チャネル状態情報基準信号ＣＳＩ−ＲＳとが前記同一のＲＥを共有することを含む。
【００３３】
別の例として、前記測位基準信号ＰＲＳと前記チャネル状態情報基準信号ＣＳＩ−ＲＳとの間に空間疑似コロケーションＱＣＬ関係がない場合、前記設定情報は、前記測位基準信号ＰＲＳと前記チャネル状態情報基準信号ＣＳＩ−ＲＳとが異なる直交周波数分割多重ＯＦＤＭシンボルを占有することを含む。即ち、測位基準信号ＰＲＳとチャネル状態情報基準信号ＣＳＩ−ＲＳとが同じ時間領域リソースを多重化せず、端末機器が同一の時刻で測位基準信号ＰＲＳのみを受信し、又はチャネル状態情報基準信号ＣＳＩ−ＲＳのみを受信することを意味する。
【００３４】
上記２つの例において、前記チャネル状態情報基準信号ＣＳＩ−ＲＳは、（１）例えばトラッキング基準信号ＴＲＳ（Ｔｒａｃｋｉｎｇ  Ｒｅｆｅｒｅｎｃｅ  Ｓｉｇｎａｌ）のようなトラッキング用チャネル状態情報基準信号ＣＳＩ−ＲＳ（ＣＳＩ−ＲＳ  ｆｏｒ  ｔｒａｃｋｉｎｇ）、（２）物理層（Ｌ１）基準信号受信電力ＲＳＲＰ（Ｒｅｆｅｒｅｎｃｅ  Ｓｉｇｎａｌ  Ｒｅｃｅｉｖｉｎｇ  Ｐｏｗｅｒ）を算出するためのチャネル状態情報基準信号ＣＳＩ−ＲＳ（ＣＳＩ−ＲＳ  ｆｏｒ  Ｌ１−ＲＳＲＰ  ｃｏｍｐｕｔａｔｉｏｎ）、（３）移動性のためのチャネル状態情報基準信号ＣＳＩ−ＲＳ（ＣＳＩ−ＲＳ  ｆｏｒ  ｍｏｂｉｌｉｔｙ）などのうちの１つ又は複数の情報を含む。
【００３５】
本実施例において、前記測位基準信号ＰＲＳとチャネル状態情報基準信号ＣＳＩ−ＲＳに占有されるリソースを決定するためのネットワーク機器からの設定情報により、端末機器が、測位基準信号ＰＲＳとチャネル状態情報基準信号ＣＳＩ−ＲＳとが下り時間領域リソースを多重化するか否かを明確化でき、これにより測位基準信号ＰＲＳを正しく受信し、更に、受信した測位基準信号ＰＲＳに基づいて端末機器の測位を実現することができ、通信の有効性を向上させる。
【００３６】
別の実施例において、前記特定の下り信号に前記ＰＤＳＣＨが含まれるとする。
【００３７】
一例として、前記測位基準信号ＰＲＳと前記ＰＤＳＣＨとの間に空間疑似コロケーションＱＣＬ関係が存在する場合、前記設定情報は、前記測位基準信号ＰＲＳと前記ＰＤＳＣＨとが同一の直交周波数分割多重ＯＦＤＭシンボルを占有することを含む。これは、測位基準信号ＰＲＳとＰＤＳＣＨとが同じ時間領域リソースを多重化でき、ネットワーク機器が同一の直交周波数分割多重ＯＦＤＭシンボルで測位基準信号ＰＲＳとＰＤＳＣＨを送信することができ、それに応じて、端末機器が測位基準信号ＰＲＳとＰＤＳＣＨを同時に受信できることを意味する。
【００３８】
該例において、前記測位基準信号ＰＲＳと前記ＰＤＳＣＨとが同一の直交周波数分割多重ＯＦＤＭシンボルを占有することは、具体的には、前記測位基準信号ＰＲＳに対して前記ＰＤＳＣＨをレートマッチングすること、又は、前記測位基準信号ＰＲＳと前記ＰＤＳＣＨが前記直交周波数分割多重ＯＦＤＭシンボル内の同一のＲＥで送信される場合、前記ＲＥにマッピングされた前記ＰＤＳＣＨが前記測位基準信号ＰＲＳによってパンクチャされる（ＰＤＳＣＨ  ａｒｅ  ｐｕｎｃｔｕｒｅｄ  ｂｙ  ＰＲＳ）ことを含む。
【００３９】
ここで、前記ＲＥにマッピングされた前記ＰＤＳＣＨが前記測位基準信号ＰＲＳによってパンクチャされることは、前記ＲＥにマッピングされたＰＤＳＣＨを破棄し、前記測位基準信号ＰＲＳを前記ＲＥにマッピングすることを指す。
【００４０】
ここで、前記測位基準信号ＰＲＳに対して前記ＰＤＳＣＨをレートマッチングすることは、前記測位基準信号ＰＲＳを前記ＲＥにマッピングし、前記測位基準信号ＰＲＳによって占有されたＲＥ以外のＲＥに前記ＰＤＳＣＨをマッピングすることを指す。
【００４１】
別の例として、前記測位基準信号ＰＲＳと前記ＰＤＳＣＨとの間に空間疑似コロケーションＱＣＬ関係が存在する場合、前記設定情報は、前記測位基準信号ＰＲＳと前記ＰＤＳＣＨとが異なる直交周波数分割多重ＯＦＤＭシンボルを占有することを含む。ここで、前記測位基準信号ＰＲＳと前記ＰＤＳＣＨとが異なる直交周波数分割多重ＯＦＤＭシンボルを占有することは、具体的には、前記測位基準信号ＰＲＳと前記ＰＤＳＣＨとが同一のスロット内の異なる直交周波数分割多重ＯＦＤＭシンボルを占有すること、又は、前記測位基準信号ＰＲＳと前記ＰＤＳＣＨとが異なるスロット内の直交周波数分割多重ＯＦＤＭシンボルを占有することを含み、即ち測位基準信号ＰＲＳを送信するスロットにおいてＰＤＳＣＨを送信しない。
【００４２】
これは、前記測位基準信号ＰＲＳと前記ＰＤＳＣＨとの間に空間疑似コロケーションＱＣＬ関係が存在する場合、測位基準信号ＰＲＳとＰＤＳＣＨとが同じ時間領域リソースを多重化せず、ネットワーク機器が１つ又は複数の直交周波数分割多重ＯＦＤＭシンボルでＰＤＳＣＨを送信することなく測位基準信号ＰＲＳのみを送信し、それに応じて、端末が同一の時刻で測位基準信号ＰＲＳのみを受信することを意味する。
【００４３】
別の例として、測位基準信号ＰＲＳと前記ＰＤＳＣＨとの間に空間疑似コロケーションＱＣＬ関係がない場合、前記設定情報は、前記測位基準信号ＰＲＳと前記ＰＤＳＣＨとが異なる直交周波数分割多重ＯＦＤＭシンボルを占有することを含む。これは、測位基準信号ＰＲＳとＰＤＳＣＨとが同じ時間領域リソースを多重化せず、ネットワーク機器が１つ又は複数の直交周波数分割多重ＯＦＤＭシンボルでＰＤＳＣＨを送信することなく測位基準信号ＰＲＳのみを送信し、又は、ネットワーク機器が１つ又は複数の直交周波数分割多重ＯＦＤＭシンボルで測位基準信号ＰＲＳを送信することなくＰＤＳＣＨのみを送信することを意味する。それに応じて、端末機器が同一の時刻で測位基準信号ＰＲＳのみを受信し、又はＰＤＳＣＨのみを受信する。
【００４４】
本実施例において、前記測位基準信号ＰＲＳとＰＤＳＣＨに占有されるリソースを決定するためのネットワーク機器からの設定情報により、端末機器が、測位基準信号ＰＲＳとＰＤＳＣＨとが下り時間領域リソースを多重化するか否かを明確化でき、これにより測位基準信号ＰＲＳを正しく受信し、更に、受信した測位基準信号ＰＲＳに基づいて端末機器の測位を実現することができ、通信の有効性を向上させる。
【００４５】
別の実施例において、前記特定の下り信号に前記ＰＤＣＣＨが含まれるとする。
【００４６】
一例として、前記測位基準信号ＰＲＳと前記ＰＤＣＣＨとの間に空間疑似コロケーションＱＣＬ関係が存在する場合、前記設定情報は、前記測位基準信号ＰＲＳと前記ＰＤＣＣＨとが同一の直交周波数分割多重ＯＦＤＭシンボルを占有することを含む。これは、測位基準信号ＰＲＳとＰＤＣＣＨとが同じ時間領域リソースを多重化し、ネットワーク機器が同一の直交周波数分割多重ＯＦＤＭシンボルで測位基準信号ＰＲＳとＰＤＣＣＨを送信し、それに応じて、端末機器が測位基準信号ＰＲＳとＰＤＣＣＨを同時に受信できることを意味する。
【００４７】
該例において、前記測位基準信号ＰＲＳと前記ＰＤＣＣＨとが同一の直交周波数分割多重ＯＦＤＭシンボルを占有することは、前記測位基準信号ＰＲＳに対して前記ＰＤＣＣＨをレートマッチングすること、又は、前記測位基準信号ＰＲＳと前記ＰＤＣＣＨが前記直交周波数分割多重ＯＦＤＭシンボル内の同一のＲＥで送信される場合、前記ＲＥにマッピングされた前記ＰＤＣＣＨが前記測位基準信号ＰＲＳによってパンクチャされることを含む。
【００４８】
ここで、前記ＲＥにマッピングされた前記ＰＤＣＣＨが前記測位基準信号ＰＲＳによってパンクチャされることは、前記ＲＥにマッピングされた前記ＰＤＣＣＨを破棄し、前記測位基準信号ＰＲＳを前記ＲＥにマッピングすることを意味する。
【００４９】
ここで、前記測位基準信号ＰＲＳに対して前記ＰＤＣＣＨをレートマッチングすることは、前記測位基準信号ＰＲＳを前記ＲＥにマッピングし、前記測位基準信号ＰＲＳによって占有されるＲＥ以外のＲＥに前記ＰＤＣＣＨをマッピングすることを意味する。
【００５０】
又は、別の例として、前記測位基準信号ＰＲＳと前記ＰＤＣＣＨとの間に空間疑似コロケーションＱＣＬ関係が存在する場合、前記設定情報は、前記測位基準信号ＰＲＳと前記ＰＤＣＣＨとが異なる直交周波数分割多重ＯＦＤＭシンボルを占有することを含む。これは、前記測位基準信号ＰＲＳと前記ＰＤＣＣＨとの間に空間疑似コロケーションＱＣＬ関係が存在する場合、測位基準信号ＰＲＳとＰＤＣＣＨとが同じ時間領域リソースを多重化せず、ネットワーク機器が、ＰＤＣＣＨによって占有された直交周波数分割多重ＯＦＤＭシンボル上測位基準信号ＰＲＳを送信しないように設定し、それに応じて、端末機器がＰＤＣＣＨによって占有された直交周波数分割多重ＯＦＤＭシンボルで測位基準信号ＰＲＳを同一の時刻で受信しないことを意味する。
【００５１】
別の例として、前記測位基準信号ＰＲＳと前記ＰＤＣＣＨとの間に空間疑似コロケーションＱＣＬ関係がない場合、前記設定情報は、前記測位基準信号ＰＲＳと前記ＰＤＣＣＨとが異なる直交周波数分割多重ＯＦＤＭシンボルを占有することを含む。
【００５２】
これは、測位基準信号ＰＲＳと前記ＰＤＣＣＨとの間に空間疑似コロケーションＱＣＬ関係がない場合、測位基準信号ＰＲＳとＰＤＣＣＨとが同じ時間領域リソースを多重化せず、ネットワーク機器が、ＰＤＣＣＨによって占有された直交周波数分割多重ＯＦＤＭシンボル上測位基準信号ＰＲＳを送信しないように設定し、それに応じて、端末機器が同一の時刻でＰＤＣＣＨのみを受信することを意味する。
【００５３】
本実施例において、前記測位基準信号ＰＲＳとＰＤＣＣＨに占有されるリソースを決定するためのネットワーク機器からの設定情報により、端末機器が、測位基準信号ＰＲＳとＰＤＣＣＨとが下り時間領域リソースを多重化するか否かを明確化でき、これにより測位基準信号ＰＲＳを正しく受信し、更に、受信した測位基準信号ＰＲＳに基づいて端末機器の測位を実現することができ、通信の有効性を向上させる。
【００５４】
別の実施例において、前記特定の下り信号にＳＳＢが含まれるとする。
【００５５】
一例として、前記測位基準信号ＰＲＳと前記ＳＳＢとの間に空間疑似コロケーションＱＣＬ関係が存在し、前記測位基準信号ＰＲＳと前記ＳＳＢとは同じサブキャリア間隔を有する場合、前記設定情報は、前記測位基準信号ＰＲＳと前記ＳＳＢとが同一の直交周波数分割多重ＯＦＤＭシンボルを占有することを含む。
【００５６】
該例において、前記測位基準信号ＰＲＳと前記ＳＳＢとが同一の直交周波数分割多重ＯＦＤＭシンボルを占有するようにネットワーク機器によって設定する態様は、以下の態様のうちのいずれかである。
（１）前記測位基準信号ＰＲＳと前記ＳＳＢ内の物理ブロードキャストチャネルＰＢＣＨは、前記直交周波数分割多重ＯＦＤＭシンボル内で周波数領域位置の異なるリソースブロックＲＢ（Ｒｅｓｏｕｒｃｅ  Ｂｌｏｃｋ）を占有する。又は、前記測位基準信号ＰＲＳによって占有される前記直交周波数分割多重ＯＦＤＭシンボルでの周波数領域位置は、前記ＳＳＢ内の物理ブロードキャストチャネルＰＢＣＨによって占有されるＲＢｓ外部のリソースブロックＲＢｓにある。
ＳＳＢは、一次同期信号ＰＳＳ（Ｐｒｉｍａｒｙ  Ｓｙｎｃｈｒｏｎｉｚａｔｉｏｎ  Ｓｉｇｎａｌ）、二次同期信号ＳＳＳ（Ｓｅｃｏｎｄａｒｙ  Ｓｙｎｃｈｒｏｎｉｚａｔｉｏｎ  Ｓｉｇｎａｌ）、物理ブロードキャストチャネルＰＢＣＨ（Ｐｈｙｓｉｃａｌ  Ｂｒｏａｄｃａｓｔ  Ｃｈａｎｎｅｌ）及び物理ブロードキャストチャネル復調基準信号ＰＢＣＨ−ＤＭＲＳ（Ｐｈｙｓｉｃａｌ  Ｂｒｏａｄｃａｓｔ  Ｃｈａｎｎｅｌ−Ｄｅｍｏｄｕｌａｔｉｏｎ  Ｒｅｆｅｒｅｎｃｅ  Ｓｉｇｎａｌ）などの信号を含む。
この方式は、測位基準信号ＰＲＳとＳＳＢとが同一の直交周波数分割多重ＯＦＤＭシンボルで周波数領域位置の異なるＲＢを占有することに拡張することができる。例えば、図２を参照し、図２は、４つの直交周波数分割多重ＯＦＤＭシンボルにおけるリソースマッピング受信の概略図を示す。図２に示すように、この４つの直交周波数分割多重ＯＦＤＭシンボルには、ＮＲ−ＰＳＳ、ＮＲ−ＳＳＳ、ＮＲ−ＰＢＣＨ及びＮＲ−ＰＢＣＨ−ＤＭＲＳがマッピングされており、この４つの直交周波数分割多重ＯＦＤＭシンボルには、ＳＳＢによって占有されたＲＢが計２０個含まれており、ネットワーク機器は、測位基準信号ＰＲＳをこの２０個のＲＢ外部のＲＢに設定し、最初の直交周波数分割多重ＯＦＤＭシンボルがＳＳＢによって満杯に占有されていなくても（図２の塗りつぶしパターンのない部分）、この２０個のＲＢの外部のＲＢに測位基準信号ＰＲＳを設定する。図２に示される例では、１つのＲＢに１２個の連続するサブキャリアが含まれる。
（２）前記直交周波数分割多重ＯＦＤＭシンボル内の同一のＲＥで前記測位基準信号ＰＲＳと前記ＳＳＢとが送信される場合、前記ＲＥにマッピングされた前記測位基準信号ＰＲＳが前記ＳＳＢによってパンクチャされる。
即ち、ネットワーク機器は、測位基準信号ＰＲＳとＳＳＢとが同じ直交周波数分割多重ＯＦＤＭシンボルを占有するように設定し、且つ前記測位基準信号ＰＲＳと前記ＳＳＢが前記直交周波数分割多重ＯＦＤＭシンボル内の同一のＲＥで送信される場合、前記ＲＥにマッピングされた測位基準信号ＰＲＳを破棄し、前記ＳＳＢを前記ＲＥにマッピングする。
（３）前記直交周波数分割多重ＯＦＤＭシンボル内の同一のＲＥで前記測位基準信号ＰＲＳと前記ＳＳＢとが送信される場合、前記ＲＥにマッピングされた前記ＳＳＢが前記測位基準信号ＰＲＳによってパンクチャされる。
即ち、ネットワーク機器は、測位基準信号ＰＲＳとＳＳＢとが同じ直交周波数分割多重ＯＦＤＭシンボルを占有するように設定し、且つ前記測位基準信号ＰＲＳと前記ＳＳＢが前記直交周波数分割多重ＯＦＤＭシンボル内の同一のＲＥで送信される場合、前記ＲＥにマッピングされたＳＳＢを破棄し、前記測位基準信号ＰＲＳを前記ＲＥにマッピングする。
（４）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記測位基準信号ＰＲＳが前記ＰＢＣＨ  ＤＭＲＳ以外のＳＳＢによってパンクチャされる。
即ち、ネットワーク機器は、測位基準信号ＰＲＳとＳＳＢとが同じ直交周波数分割多重ＯＦＤＭシンボルを占有するように設定し、前記測位基準信号ＰＲＳと前記ＳＳＢ内のＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記測位基準信号ＰＲＳを破棄し、前記ＰＢＣＨ  ＤＭＲＳ以外のＳＳＢを前記ＲＥにマッピングする。
（５）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記ＰＢＣＨ  ＤＭＲＳ以外のＳＳＢが前記測位基準信号ＰＲＳによってパンクチャされる。
即ち、ネットワーク機器は、測位基準信号ＰＲＳとＳＳＢとが同じ直交周波数分割多重ＯＦＤＭシンボルを占有するように設定し、且つ前記測位基準信号ＰＲＳと前記ＳＳＢ内のＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記ＰＢＣＨ  ＤＭＲＳ以外のＳＳＢを破棄し、前記測位基準信号ＰＲＳを前記ＲＥにマッピングする。
【００５７】
又は、別の例として、前記測位基準信号ＰＲＳと前記ＳＳＢとの間に空間疑似コロケーションＱＣＬ関係が存在する場合、前記設定情報は、前記測位基準信号ＰＲＳと前記ＳＳＢとが異なる直交周波数分割多重ＯＦＤＭシンボルを占有することを含む。これは、ネットワーク機器が、ＳＳＢによって占有された直交周波数分割多重ＯＦＤＭシンボルで測位基準信号ＰＲＳを送信しないように設定することを意味する。
【００５８】
更に別の例として、前記測位基準信号ＰＲＳと前記ＳＳＢとの間に空間疑似コロケーションＱＣＬ関係がない場合、前記設定情報は、前記測位基準信号ＰＲＳと前記ＳＳＢとが異なる直交周波数分割多重ＯＦＤＭシンボルを占有することを含む。即ち、前記測位基準信号ＰＲＳと前記ＳＳＢとの間に空間疑似コロケーションＱＣＬ関係がない場合、ネットワーク機器は、ＳＳＢによって占有された直交周波数分割多重ＯＦＤＭシンボルで測位基準信号ＰＲＳを送信しないように設定し、端末機器は、ＳＳＢのみを受信する。
【００５９】
本実施例において、前記測位基準信号ＰＲＳとＳＳＢに占有されるリソースを決定するためのネットワーク機器からの設定情報により、端末機器が、測位基準信号ＰＲＳとＳＳＢとが下り時間領域リソースを多重化するか否かを明確化でき、これにより測位基準信号ＰＲＳを正しく受信し、更に、受信した測位基準信号ＰＲＳに基づいて端末機器の測位を実現することができ、通信の有効性を向上させる。
【００６０】
以上、具体的な実施例を参照して測位基準信号ＰＲＳとチャネル状態情報基準信号ＣＳＩ−ＲＳ、ＰＤＳＣＨ、ＰＤＣＣＨ、ＳＳＢとのリソース占有設定をそれぞれ説明した。以下、ネットワーク機器が上記設定情報を送信する態様を説明する。
【００６１】
具体的な設定過程において、ネットワーク機器は、以下の態様のうちの１つ又は複数に基づいて前記設定情報を送信する。
（１）上位レイヤシグナリングに基づいて前記設定情報を送信する。例えば、無線リソース制御ＲＲＣ（Ｒａｄｉｏ  Ｒｅｓｏｕｒｃｅ  Ｃｏｎｔｒｏｌ）メッセージを用いて前記設定情報を送信する。
（２）メディアアクセス制御ＭＡＣ（Ｍｅｄｉａ  Ａｃｃｅｓｓ  Ｃｏｎｔｒｏｌ）レイヤシグナリングに基づいて前記設定情報を送信する。
（３）下り制御情報ＤＣＩ（Ｄｏｗｎｌｉｎｋ  Ｃｏｎｔｒｏｌ  Ｉｎｆｏｒｍａｔｉｏｎ）に基づいて前記設定情報を送信する。
【００６２】
もちろん、別の実施例において、上記設定情報は、プロトコルによって規定されてもよい。なお、上記設定情報がプロトコルによって規定される場合、ネットワーク機器は、前記設定情報を送信せず、端末機器は、プロトコルを照会することによって上記設定情報を取得し、上記設定情報に基づいて測位基準信号ＰＲＳを受信する。
【００６３】
任意選択で、別の実施例において、図３に示すように、上記ステップ１０１に加えて、本開示の実施例に係る測位基準信号設定方法は、前記設定情報に基づいて、前記測位基準信号ＰＲＳ及び前記特定の下り信号を送信するステップ１０２を更に含む。
【００６４】
なお、上記設定情報を端末機器に送信した後、更に上記設定情報に基づいて測位基準信号ＰＲＳと上記特定の下り信号を端末機器に送信することによって、端末機器が、測位基準信号ＰＲＳと上記特定の下り信号を正しく受信することができ、更に、受信した測位基準信号ＰＲＳと上記特定の下り信号に基づいて次の処理を行うことができ、通信の有効性を向上させる。
【００６５】
以上、ネットワーク機器に応用される測位基準信号設定方法を説明したが、以下、図４〜図５を参照し、本開示の実施例に係る、端末機器に応用される測位基準信号受信方法を説明する。
【００６６】
図４に示すように、本開示の一実施例に係る、端末機器に応用される測位基準信号受信方法は、
測位基準信号測位基準信号ＰＲＳと特定の下り信号との間の空間疑似コロケーションＱＣＬ関係に基づいて、ネットワーク機器によって送信された設定情報であって、前記測位基準信号ＰＲＳと前記特定の下り信号に占有されるリソースを決定するための設定情報を受信するステップ４０１を含む。
【００６７】
ここで、特定の下り信号は、下りシステム共通信号又はシステム共通チャネルを含む。例えば、前記特定の下り信号は、チャネル状態情報基準信号ＣＳＩ−ＲＳ、物理下り共有チャネルＰＤＳＣＨ、物理下り制御チャネルＰＤＣＣＨ及び同期信号ブロックＳＳＢのうちの１つ又は複数を含む。
【００６８】
本開示の実施例に係る測位基準信号受信方法において、前記測位基準信号ＰＲＳと特定の下り信号に占有されるリソースを決定するための、ネットワーク機器から送信されて端末機器によって受信された設定情報により、端末機器が、測位基準信号ＰＲＳと特定の下り信号とが下り時間領域リソースを多重化するか否かを明確化でき、これにより測位基準信号ＰＲＳを正しく受信し、更に、受信した測位基準信号ＰＲＳに基づいて端末機器の測位を実現することができ、通信の有効性を向上させる。
【００６９】
以下、より具体的な実施例を参照して、ネットワーク機器からの設定情報に含まれる内容を説明する。
【００７０】
１つの実施例において、前記特定の下り信号に前記チャネル状態情報基準信号ＣＳＩ−ＲＳが含まれるとする。すると、一例において、前記測位基準信号ＰＲＳと前記チャネル状態情報基準信号ＣＳＩ−ＲＳとの間に空間疑似コロケーションＱＣＬ関係が存在する場合、前記設定情報は、前記測位基準信号ＰＲＳと前記チャネル状態情報基準信号ＣＳＩ−ＲＳとが同一の直交周波数分割多重ＯＦＤＭシンボルを占有することを含む。
【００７１】
具体的には、前記測位基準信号ＰＲＳと前記チャネル状態情報基準信号ＣＳＩ−ＲＳとが同一の直交周波数分割多重ＯＦＤＭシンボルを占有することは、前記測位基準信号ＰＲＳと前記チャネル状態情報基準信号ＣＳＩ−ＲＳとが同一の直交周波数分割多重ＯＦＤＭシンボル上の異なるリソースエレメントＲＥを周波数分割多重すること、又は、前記測位基準信号ＰＲＳと前記チャネル状態情報基準信号ＣＳＩ−ＲＳが前記直交周波数分割多重ＯＦＤＭシンボル内の同一のＲＥで送信される場合、前記測位基準信号ＰＲＳと前記チャネル状態情報基準信号ＣＳＩ−ＲＳとが前記同一のＲＥを共有することを含む。
【００７２】
別の例において、前記測位基準信号ＰＲＳと前記チャネル状態情報基準信号ＣＳＩ−ＲＳとの間に空間疑似コロケーションＱＣＬ関係がない場合、前記設定情報は、前記測位基準信号ＰＲＳと前記チャネル状態情報基準信号ＣＳＩ−ＲＳとが異なる直交周波数分割多重ＯＦＤＭシンボルを占有することを含む。
【００７３】
ここで、前記チャネル状態情報基準信号ＣＳＩ−ＲＳは、トラッキング用チャネル状態情報基準信号ＣＳＩ−ＲＳ、物理層基準信号受信電力Ｌ１−ＲＳＲＰを算出するためのチャネル状態情報基準信号ＣＳＩ−ＲＳ又は移動性のためのチャネル状態情報基準信号ＣＳＩ−ＲＳのうちの１つ又は複数の情報を含む。
【００７４】
１つの実施例において、前記特定の下り信号に前記ＰＤＳＣＨが含まれるとする。すると、一例において、前記測位基準信号ＰＲＳと前記ＰＤＳＣＨとの間に空間疑似コロケーションＱＣＬ関係が存在する場合、前記設定情報は、前記測位基準信号ＰＲＳと前記ＰＤＳＣＨとが同一の直交周波数分割多重ＯＦＤＭシンボルを占有すること、又は、前記測位基準信号ＰＲＳと前記ＰＤＳＣＨとが異なる直交周波数分割多重ＯＦＤＭシンボルを占有することを含む。
【００７５】
ここで、前記測位基準信号ＰＲＳと前記ＰＤＳＣＨとが同一の直交周波数分割多重ＯＦＤＭシンボルを占有することは、前記測位基準信号ＰＲＳに対して前記ＰＤＳＣＨをレートマッチングすること、又は、前記測位基準信号ＰＲＳと前記ＰＤＳＣＨが前記直交周波数分割多重ＯＦＤＭシンボル内の同一のＲＥで送信される場合、前記ＲＥにマッピングされた前記ＰＤＳＣＨが前記測位基準信号ＰＲＳによってパンクチャされることを含む。
【００７６】
ここで、前記測位基準信号ＰＲＳと前記ＰＤＳＣＨとの間に空間疑似コロケーションＱＣＬ関係が存在する場合、前記測位基準信号ＰＲＳと前記ＰＤＳＣＨとが異なる直交周波数分割多重ＯＦＤＭシンボルを占有することは、前記測位基準信号ＰＲＳと前記ＰＤＳＣＨとが同一のスロット内の異なる直交周波数分割多重ＯＦＤＭシンボルを占有すること、又は、前記測位基準信号ＰＲＳと前記ＰＤＳＣＨとが異なるスロット内の直交周波数分割多重ＯＦＤＭシンボルを占有することを含む。
【００７７】
１つの例において、前記測位基準信号ＰＲＳと前記ＰＤＳＣＨとの間に空間疑似コロケーションＱＣＬ関係がない場合には、前記設定情報は、前記測位基準信号ＰＲＳと前記ＰＤＳＣＨとが異なる直交周波数分割多重ＯＦＤＭシンボルを占有することを含む。
【００７８】
また別の例において、前記特定の下り信号に前記ＰＤＣＣＨが含まれるとすると、一例において、前記測位基準信号ＰＲＳと前記ＰＤＣＣＨとの間に空間疑似コロケーションＱＣＬ関係が存在する場合、前記設定情報は、前記測位基準信号ＰＲＳと前記ＰＤＣＣＨとが同一の直交周波数分割多重ＯＦＤＭシンボルを占有すること、又は、前記測位基準信号ＰＲＳと前記ＰＤＣＣＨとが異なる直交周波数分割多重ＯＦＤＭシンボルを占有することを含む。
【００７９】
ここで、前記測位基準信号ＰＲＳと前記ＰＤＣＣＨとの間に空間疑似コロケーションＱＣＬ関係が存在する場合、前記測位基準信号ＰＲＳと前記ＰＤＣＣＨとが同一の直交周波数分割多重ＯＦＤＭシンボルを占有することは、前記測位基準信号ＰＲＳに対して前記ＰＤＣＣＨをレートマッチングすること、又は、前記測位基準信号ＰＲＳと前記ＰＤＣＣＨが前記直交周波数分割多重ＯＦＤＭシンボル内の同一のＲＥで送信される場合、前記ＲＥにマッピングされた前記ＰＤＣＣＨが前記測位基準信号ＰＲＳによってパンクチャされることを含む。
【００８０】
別の例において、前記測位基準信号ＰＲＳと前記ＰＤＣＣＨとの間に空間疑似コロケーションＱＣＬ関係がない場合、前記設定情報は、前記測位基準信号ＰＲＳと前記ＰＤＣＣＨとが異なる直交周波数分割多重ＯＦＤＭシンボルを占有することを含む。
【００８１】
別の実施例において、前記特定の下り信号に前記ＳＳＢが含まれるとすると、一例において、前記測位基準信号ＰＲＳと前記ＳＳＢとの間に空間疑似コロケーションＱＣＬ関係が存在し、前記測位基準信号ＰＲＳと前記ＳＳＢとが同じサブキャリア間隔を有する場合、前記設定情報は、前記測位基準信号ＰＲＳと前記ＳＳＢとが同一の直交周波数分割多重ＯＦＤＭシンボルを占有すること、又は、前記測位基準信号ＰＲＳと前記ＳＳＢとが異なる直交周波数分割多重ＯＦＤＭシンボルを占有することを含む。
【００８２】
ここで、前記測位基準信号ＰＲＳと前記ＳＳＢとが同一の直交周波数分割多重ＯＦＤＭシンボルを占有することは、以下の態様のうちの１つを含む。
（１）前記測位基準信号ＰＲＳと前記ＳＳＢ内の物理ブロードキャストチャネルＰＢＣＨは、前記直交周波数分割多重ＯＦＤＭシンボルで周波数領域位置の異なるリソースブロックＲＢを占有する。
（２）前記直交周波数分割多重ＯＦＤＭシンボル内の同一のＲＥで前記測位基準信号ＰＲＳと前記ＳＳＢとが送信される場合、前記ＲＥにマッピングされた前記測位基準信号ＰＲＳが前記ＳＳＢによってパンクチャされる。
（３）前記直交周波数分割多重ＯＦＤＭシンボル内の同一のＲＥで前記測位基準信号ＰＲＳと前記ＳＳＢとが送信される場合、前記ＲＥにマッピングされた前記ＳＳＢが前記測位基準信号ＰＲＳによってパンクチャされる。
（４）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記測位基準信号ＰＲＳが前記ＰＢＣＨ  ＤＭＲＳ以外のＳＳＢによってパンクチャされる。
（５）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記ＰＢＣＨ  ＤＭＲＳ以外のＳＳＢが前記測位基準信号ＰＲＳによってパンクチャされる。
【００８３】
別の例において、前記測位基準信号ＰＲＳと前記ＳＳＢとの間に空間疑似コロケーションＱＣＬ関係がない場合、前記設定情報は、前記測位基準信号ＰＲＳと前記ＳＳＢとが異なる直交周波数分割多重ＯＦＤＭシンボルを占有することを含む。
【００８４】
以上、具体的な実施例を参照して測位基準信号ＰＲＳとチャネル状態情報基準信号ＣＳＩ−ＲＳ、ＰＤＳＣＨ、ＰＤＣＣＨ、ＳＳＢとのリソース占有設定をそれぞれ説明した。以下、端末機器が上記設定情報を受信する態様を説明する。
【００８５】
具体的な受信過程において、端末機器は、以下の態様のうちの１つ又は複数に基づいて前記設定情報を受信する。
（１）上位レイヤシグナリングに基づいて前記設定情報を受信する。例えば、ＲＲＣメッセージに基づいて前記設定情報を受信する。
（２）ＭＡＣレイヤシグナリングに基づいて前記設定情報を受信する。
（３）ＤＣＩに基づいて前記設定情報を受信する。
【００８６】
もちろん、別の実施例において、上記設定情報は、プロトコルによって規定されてもよい。なお、上記設定情報がプロトコルによって規定される場合、端末機器は、ネットワーク機器からの上記設定情報を受信せず、プロトコルを照会することによって上記設定情報を取得し、上記設定情報に基づいて測位基準信号ＰＲＳを受信する。
【００８７】
任意選択で、別の実施例において、図５に示すように、上記ステップ４０１に加えて、本開示の実施例に係る測位基準信号受信方法は、前記設定情報に基づいて、前記測位基準信号ＰＲＳと前記特定の下り信号を受信するステップ４０２を更に含む。
【００８８】
なお、端末機器は、上記設定情報を受信した後、上記設定情報に基づいて測位基準信号ＰＲＳと上記特定の下り信号を正しく受信し、受信した測位基準信号ＰＲＳと上記特定の下り信号に基づいて次の処理を行うことによって、通信の有効性を向上させる。
【００８９】
任意選択で、別の実施例において、端末機器は、ネットワーク機器により設定された測位基準信号ＰＲＳを受信した後、該測位基準信号ＰＲＳに基づいた測位を行う。以下、観測到着時間ＯＴＤＯＡ（Ｏｂｓｅｒｖｅｄ  Ｔｉｍｅ  Ｄｉｆｆｅｒｅｎｃｅ  ｏｆ  Ａｒｒｉｖａｌ）測位に測位基準信号ＰＲＳを応用した場合を例に、測位基準信号ＰＲＳに基づく端末機器の測位過程について簡単に説明する。
【００９０】
一例として、ＯＴＤＯＡ測位方法は、測位基準信号ＰＲＳに基づく測位プロセスとして、以下を含む。
まず、ネットワーク機器は、以上言及された方法に基づいて測位基準信号ＰＲＳを生成し、前記測位基準信号ＰＲＳを端末機器に送信する。ここで、前記ネットワーク機器は、前記端末機器のサービングセル及び端末機器の付近から選択された複数の隣接セルを含む。
次に、端末機器は、隣接セルからの測位基準信号ＰＲＳとローカル測位基準信号ＰＲＳとを時間領域で相関をとり、隣接セル毎に対応する遅延電力スペクトルを得る。ここで、ローカル測位基準信号ＰＲＳは、測位基準信号ＰＲＳ生成規則に基づいて端末機器が生成した測位基準信号ＰＲＳである。
更に、端末機器は、隣接セルに対応する遅延電力スペクトルに基づいて、該隣接セルの先着径を求め、各隣接セルから送信された測位基準信号ＰＲＳが端末機器に到着する到着時間ＴＯＡ（Ｔｉｍｅ  ｏｆ  Ａｒｒｉｖａｌ）を取得する。
最後に、ネットワーク機器は、少なくとも３つの隣接セルに対応するＴＯＡに基づいて、サービングセルと各隣接セルの基準信号時間差ＲＳＴＤ（Ｒｅｆｅｒｅｎｃｅ  Ｓｉｇｎａｌ  Ｔｉｍｅ  Ｄｉｆｆｅｒｅｎｃｅ）を決定し、端末機器の位置を決定する。具体的には、端末機器の座標を算出する。
【００９１】
以上の手順により、端末機器の位置は、少なくとも３つの隣接セルの到着時間差ＴＤＯＡ（Ｔｉｍｅ  Ｄｉｆｆｅｒｅｎｃｅ  ｏｆ  Ａｒｒｉｖａｌ）によって決定され、即ち絶対時間ではなく相対時間によって決定される。
【００９２】
本開示の実施例に係る測位基準信号受信方法は、本開示の実施例に係る測位基準信号設定方法に対応するため、本明細書において、測位基準信号受信方法に対する記載が簡単であり、関連箇所について、上記の測位基準信号設定方法に対する記載を参照する。
【００９３】
以下、図６〜図９を参照し、本開示の実施例に係るネットワーク機器及び端末機器を詳細に記載する。
【００９４】
図６は、本開示の実施例に係るネットワーク機器の構造図を示す。図６に示すように、ネットワーク機器６００は、第１送信モジュール６０１を含む。
【００９５】
第１送信モジュール６０１は、測位基準信号ＰＲＳと特定の下り信号との間の空間疑似コロケーションＱＣＬ関係に基づいて、前記測位基準信号ＰＲＳと前記特定の下り信号に占有されるリソースを決定するための設定情報を送信する。
【００９６】
ここで、前記特定の下り信号は、チャネル状態情報基準信号ＣＳＩ−ＲＳ、物理下り共有チャネルＰＤＳＣＨ、物理下り制御チャネルＰＤＣＣＨ及び同期信号ブロックＳＳＢのうちの１つ又は複数を含む。
【００９７】
図６に示す実施例に係るネットワーク機器６００によれば、前記測位基準信号ＰＲＳと特定の下り信号に占有されるリソースを決定するための、送信した設定情報により、端末機器が、測位基準信号ＰＲＳと特定の下り信号とが下り時間領域リソースを多重化するか否かを明確化できる。これにより測位基準信号ＰＲＳを正しく受信し、更に、受信した測位基準信号ＰＲＳに基づいて端末機器の測位を実現することができ、通信の有効性を向上させる。
【００９８】
以下、より具体的な実施例を参照し、ネットワーク機器６００から送信された設定情報に含まれる内容を説明する。
【００９９】
１つの実施例において、前記特定の下り信号に前記チャネル状態情報基準信号ＣＳＩ−ＲＳが含まれるとする。すると、一例において、前記測位基準信号ＰＲＳと前記チャネル状態情報基準信号ＣＳＩ−ＲＳとの間に空間疑似コロケーションＱＣＬ関係が存在する場合、前記設定情報は、前記測位基準信号ＰＲＳと前記チャネル状態情報基準信号ＣＳＩ−ＲＳとが同一の直交周波数分割多重ＯＦＤＭシンボルを占有することを含む。
【０１００】
具体的には、前記測位基準信号ＰＲＳと前記チャネル状態情報基準信号ＣＳＩ−ＲＳとが同一の直交周波数分割多重ＯＦＤＭシンボルを占有することは、前記測位基準信号ＰＲＳと前記チャネル状態情報基準信号ＣＳＩ−ＲＳとが同一の直交周波数分割多重ＯＦＤＭシンボル上の異なるリソースエレメントＲＥを周波数分割多重すること、又は、前記測位基準信号ＰＲＳと前記チャネル状態情報基準信号ＣＳＩ−ＲＳが前記直交周波数分割多重ＯＦＤＭシンボル内の同一のＲＥで送信される場合、前記測位基準信号ＰＲＳと前記チャネル状態情報基準信号ＣＳＩ−ＲＳとが前記同一のＲＥを共有することを含む。
【０１０１】
別の例において、前記測位基準信号ＰＲＳと前記チャネル状態情報基準信号ＣＳＩ−ＲＳとの間に空間疑似コロケーションＱＣＬ関係がない場合、前記設定情報は、前記測位基準信号ＰＲＳと前記チャネル状態情報基準信号ＣＳＩ−ＲＳとが異なる直交周波数分割多重ＯＦＤＭシンボルを占有することを含む。
【０１０２】
ここで、前記チャネル状態情報基準信号ＣＳＩ−ＲＳは、トラッキング用チャネル状態情報基準信号ＣＳＩ−ＲＳ、物理層基準信号受信電力Ｌ１−ＲＳＲＰを算出するためのチャネル状態情報基準信号ＣＳＩ−ＲＳ又は移動性のためのチャネル状態情報基準信号ＣＳＩ−ＲＳのうちの１つ又は複数の情報を含む。
【０１０３】
１つの実施例において、前記特定の下り信号に前記ＰＤＳＣＨが含まれるとする。すると、一例において、前記測位基準信号ＰＲＳと前記ＰＤＳＣＨとの間に空間疑似コロケーションＱＣＬ関係が存在する場合、前記設定情報は、前記測位基準信号ＰＲＳと前記ＰＤＳＣＨとが同一の直交周波数分割多重ＯＦＤＭシンボルを占有すること、又は、前記測位基準信号ＰＲＳと前記ＰＤＳＣＨとが異なる直交周波数分割多重ＯＦＤＭシンボルを占有することを含む。
【０１０４】
ここで、前記測位基準信号ＰＲＳと前記ＰＤＳＣＨとが同一の直交周波数分割多重ＯＦＤＭシンボルを占有することは、前記測位基準信号ＰＲＳに対して前記ＰＤＳＣＨをレートマッチングすること、又は、前記測位基準信号ＰＲＳと前記ＰＤＳＣＨが前記直交周波数分割多重ＯＦＤＭシンボル内の同一のＲＥで送信される場合、前記ＲＥにマッピングされた前記ＰＤＳＣＨが前記測位基準信号ＰＲＳによってパンクチャされることを含む。
【０１０５】
ここで、前記測位基準信号ＰＲＳと前記ＰＤＳＣＨとの間に空間疑似コロケーションＱＣＬ関係が存在する場合、前記測位基準信号ＰＲＳと前記ＰＤＳＣＨとが異なる直交周波数分割多重ＯＦＤＭシンボルを占有することは、前記測位基準信号ＰＲＳと前記ＰＤＳＣＨとが同一のスロット内の異なる直交周波数分割多重ＯＦＤＭシンボルを占有すること、又は、前記測位基準信号ＰＲＳと前記ＰＤＳＣＨとが異なるスロット内の直交周波数分割多重ＯＦＤＭシンボルを占有することを含む。
【０１０６】
１つの例において、前記測位基準信号ＰＲＳと前記ＰＤＳＣＨとの間に空間疑似コロケーションＱＣＬ関係がない場合、前記設定情報は、前記測位基準信号ＰＲＳと前記ＰＤＳＣＨとが異なる直交周波数分割多重ＯＦＤＭシンボルを占有することを含む。
【０１０７】
また別の例において、前記特定の下り信号に前記ＰＤＣＣＨが含まれるとする。すると、一例において、前記測位基準信号ＰＲＳと前記ＰＤＣＣＨとの間に空間疑似コロケーションＱＣＬ関係が存在する場合、前記設定情報は、前記測位基準信号ＰＲＳと前記ＰＤＣＣＨとが同一の直交周波数分割多重ＯＦＤＭシンボルを占有すること、又は、前記測位基準信号ＰＲＳと前記ＰＤＣＣＨとが異なる直交周波数分割多重ＯＦＤＭシンボルを占有することを含む。
【０１０８】
ここで、前記測位基準信号ＰＲＳと前記ＰＤＣＣＨとが同一の直交周波数分割多重ＯＦＤＭシンボルを占有することは、前記測位基準信号ＰＲＳに対して前記ＰＤＣＣＨをレートマッチングすること、又は、前記測位基準信号ＰＲＳと前記ＰＤＣＣＨが前記直交周波数分割多重ＯＦＤＭシンボル内の同一のＲＥで送信される場合、前記ＲＥにマッピングされた前記ＰＤＣＣＨが前記測位基準信号ＰＲＳによってパンクチャされることを含む。
【０１０９】
別の例において、前記測位基準信号ＰＲＳと前記ＰＤＣＣＨとの間に空間疑似コロケーションＱＣＬ関係がない場合、前記設定情報は、前記測位基準信号ＰＲＳと前記ＰＤＣＣＨとが異なる直交周波数分割多重ＯＦＤＭシンボルを占有することを含む。
【０１１０】
別の実施例において、前記特定の下り信号に前記ＳＳＢが含まれるとする。すると、一例において、前記測位基準信号ＰＲＳと前記ＳＳＢとの間に空間疑似コロケーションＱＣＬ関係が存在し、前記測位基準信号ＰＲＳと前記ＳＳＢとが同じサブキャリア間隔を有する場合、前記設定情報は、前記測位基準信号ＰＲＳと前記ＳＳＢとが同一の直交周波数分割多重ＯＦＤＭシンボルを占有すること、又は、前記測位基準信号ＰＲＳと前記ＳＳＢとが異なる直交周波数分割多重ＯＦＤＭシンボルを占有することを含む。
【０１１１】
ここで、前記測位基準信号ＰＲＳと前記ＳＳＢとが同一の直交周波数分割多重ＯＦＤＭシンボルを占有することは、以下の態様のうちの１つを含む。
（１）前記測位基準信号ＰＲＳと前記ＳＳＢ内の物理ブロードキャストチャネルＰＢＣＨは、前記直交周波数分割多重ＯＦＤＭシンボルで周波数領域位置の異なるリソースブロックＲＢを占有する。
（２）前記直交周波数分割多重ＯＦＤＭシンボル内の同一のＲＥで前記測位基準信号ＰＲＳと前記ＳＳＢとが送信される場合、前記ＲＥにマッピングされた前記測位基準信号ＰＲＳが前記ＳＳＢによってパンクチャされる。
（３）前記直交周波数分割多重ＯＦＤＭシンボル内の同一のＲＥで前記測位基準信号ＰＲＳと前記ＳＳＢとが送信される場合、前記ＲＥにマッピングされた前記ＳＳＢが前記測位基準信号ＰＲＳによってパンクチャされる。
（４）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記測位基準信号ＰＲＳが前記ＰＢＣＨ  ＤＭＲＳ以外のＳＳＢによってパンクチャされる。
（５）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記ＰＢＣＨ  ＤＭＲＳ以外のＳＳＢが前記測位基準信号ＰＲＳによってパンクチャされる。
【０１１２】
別の例において、前記測位基準信号ＰＲＳと前記ＳＳＢとの間に空間疑似コロケーションＱＣＬ関係がない場合、前記設定情報は、前記測位基準信号ＰＲＳと前記ＳＳＢとが異なる直交周波数分割多重ＯＦＤＭシンボルを占有することを含む。
【０１１３】
以上、具体的な実施例を参照して測位基準信号ＰＲＳとチャネル状態情報基準信号ＣＳＩ−ＲＳ、ＰＤＳＣＨ、ＰＤＣＣＨ、ＳＳＢとのリソース占有設定をそれぞれ説明した。以下、ネットワーク機器６００が上記設定情報を送信する態様を説明する。
【０１１４】
具体的な送信過程において、ネットワーク機器は、以下の態様のうちの１つ又は複数に基づいて前記設定情報を送信する。
（１）上位レイヤシグナリングに基づいて前記設定情報を送信する。例えば、ＲＲＣメッセージに基づいて前記設定情報を送信する。
（２）ＭＡＣレイヤシグナリングに基づいて前記設定情報を送信する。
（３）ＤＣＩに基づいて前記設定情報を送信する。
【０１１５】
もちろん、別の実施例において、上記設定情報は、プロトコルによって規定されてもよい。なお、上記設定情報がプロトコルによって規定される場合、ネットワーク機器は、前記設定情報を端末機器に送信せず、端末機器は、プロトコルを照会することによって上記設定情報を取得し、上記設定情報に基づいて測位基準信号ＰＲＳを受信する。
【０１１６】
任意選択で、別の実施例において、図７に示すように、本開示の実施例に係るネットワーク機器６００は、前記設定情報に基づいて、前記測位基準信号ＰＲＳ及び前記特定の下り信号を送信する第２送信モジュール６０２を更に含む。
【０１１７】
なお、ネットワーク機器６００は、上記設定情報を端末機器に送信した後、更に上記設定情報に基づいて測位基準信号ＰＲＳと上記特定の下り信号を端末機器に送信することによって、端末機器は、測位基準信号ＰＲＳと上記特定の下り信号を正しく受信し、受信した測位基準信号ＰＲＳと上記特定の下り信号に基づいて次の処理を行い、通信の有効性を向上させる。
【０１１８】
上記図６〜図７に示すネットワーク機器６００は、上記図１〜図３に示す測位基準信号設定方法の各実施例を実現するために用いられ、関連箇所は、上記の方法の実施例を参照する。
【０１１９】
図８に示すように、本開示の実施例は、端末機器８００を更に提供する。該端末機器８００は、第１受信モジュール８０１を含む。
【０１２０】
第１受信モジュール８０１は、測位基準信号ＰＲＳと特定の下り信号との間の空間疑似コロケーションＱＣＬ関係に基づいてネットワーク機器によって送信された設定情報であって、前記測位基準信号ＰＲＳと前記特定の下り信号に占有されるリソースを決定するための設定情報を受信する。
ここで、前記特定の下り信号は、チャネル状態情報基準信号ＣＳＩ−ＲＳ、物理下り共有チャネルＰＤＳＣＨ、物理下り制御チャネルＰＤＣＣＨ及び同期信号ブロックＳＳＢのうちの１つ又は複数を含む。
【０１２１】
図８に示す実施例に係る端末機器８００は、前記測位基準信号ＰＲＳと特定の下り信号に占有されるリソースを決定するためのネットワーク機器から受信した設定情報により、測位基準信号ＰＲＳと特定の下り信号とが下り時間領域リソースを多重化するか否かを明確化でき、これにより測位基準信号ＰＲＳを正しく受信し、更に、受信した測位基準信号ＰＲＳに基づいて端末機器の測位を実現することができ、通信の有効性を向上させる。
【０１２２】
以下、より具体的な実施例を参照して、ネットワーク機器からの設定情報に含まれる内容を説明する。
【０１２３】
１つの実施例において、前記特定の下り信号に前記チャネル状態情報基準信号ＣＳＩ−ＲＳが含まれるとする。すると、一例において、前記測位基準信号ＰＲＳと前記チャネル状態情報基準信号ＣＳＩ−ＲＳとの間に空間疑似コロケーションＱＣＬ関係が存在する場合、前記設定情報は、前記測位基準信号ＰＲＳと前記チャネル状態情報基準信号ＣＳＩ−ＲＳとが同一の直交周波数分割多重ＯＦＤＭシンボルを占有することを含む。
【０１２４】
具体的には、前記測位基準信号ＰＲＳと前記チャネル状態情報基準信号ＣＳＩ−ＲＳとが同一の直交周波数分割多重ＯＦＤＭシンボルを占有することは、前記測位基準信号ＰＲＳと前記チャネル状態情報基準信号ＣＳＩ−ＲＳとが同一の直交周波数分割多重ＯＦＤＭシンボル上の異なるリソースエレメントＲＥを周波数分割多重すること、又は、前記測位基準信号ＰＲＳと前記チャネル状態情報基準信号ＣＳＩ−ＲＳが前記直交周波数分割多重ＯＦＤＭシンボル内の同一のＲＥで送信される場合、前記測位基準信号ＰＲＳと前記チャネル状態情報基準信号ＣＳＩ−ＲＳとが前記同一のＲＥを共有することを含む。
【０１２５】
別の例において、前記測位基準信号ＰＲＳと前記チャネル状態情報基準信号ＣＳＩ−ＲＳとの間に空間疑似コロケーションＱＣＬ関係がない場合、前記設定情報は、前記測位基準信号ＰＲＳと前記チャネル状態情報基準信号ＣＳＩ−ＲＳとが異なる直交周波数分割多重ＯＦＤＭシンボルを占有することを含む。
【０１２６】
ここで、前記チャネル状態情報基準信号ＣＳＩ−ＲＳは、トラッキング用チャネル状態情報基準信号ＣＳＩ−ＲＳ、物理層基準信号受信電力Ｌ１−ＲＳＲＰを算出するためのチャネル状態情報基準信号ＣＳＩ−ＲＳ又は移動性のためのチャネル状態情報基準信号ＣＳＩ−ＲＳのうちの１つ又は複数の情報を含む。
【０１２７】
１つの実施例において、前記特定の下り信号に前記ＰＤＳＣＨが含まれるとする。すると、一例において、前記測位基準信号ＰＲＳと前記ＰＤＳＣＨとの間に空間疑似コロケーションＱＣＬ関係が存在する場合、前記設定情報は、前記測位基準信号ＰＲＳと前記ＰＤＳＣＨとが同一の直交周波数分割多重ＯＦＤＭシンボルを占有すること、又は、前記測位基準信号ＰＲＳと前記ＰＤＳＣＨとが異なる直交周波数分割多重ＯＦＤＭシンボルを占有することを含む。
【０１２８】
ここで、前記測位基準信号ＰＲＳと前記ＰＤＳＣＨとが同一の直交周波数分割多重ＯＦＤＭシンボルを占有することは、前記測位基準信号ＰＲＳに対して前記ＰＤＳＣＨをレートマッチングすること、又は、前記測位基準信号ＰＲＳと前記ＰＤＳＣＨが前記直交周波数分割多重ＯＦＤＭシンボル内の同一のＲＥで送信される場合、前記ＲＥにマッピングされた前記ＰＤＳＣＨが前記測位基準信号ＰＲＳによってパンクチャされることを含む。
【０１２９】
ここで、前記測位基準信号ＰＲＳと前記ＰＤＳＣＨとの間に空間疑似コロケーションＱＣＬ関係が存在する場合、前記測位基準信号ＰＲＳと前記ＰＤＳＣＨとが異なる直交周波数分割多重ＯＦＤＭシンボルを占有することは、前記測位基準信号ＰＲＳと前記ＰＤＳＣＨとが同一のスロット内の異なる直交周波数分割多重ＯＦＤＭシンボルを占有すること、又は、前記測位基準信号ＰＲＳと前記ＰＤＳＣＨとが異なるスロット内の直交周波数分割多重ＯＦＤＭシンボルを占有することを含む。
【０１３０】
１つの例において、前記測位基準信号ＰＲＳと前記ＰＤＳＣＨとの間に空間疑似コロケーションＱＣＬ関係がない場合、前記設定情報は、前記測位基準信号ＰＲＳと前記ＰＤＳＣＨとが異なる直交周波数分割多重ＯＦＤＭシンボルを占有することを含む。
【０１３１】
また別の例において、前記特定の下り信号に前記ＰＤＣＣＨが含まれるとする。すると、一例において、前記測位基準信号ＰＲＳと前記ＰＤＣＣＨとの間に空間疑似コロケーションＱＣＬ関係が存在する場合、前記設定情報は、前記測位基準信号ＰＲＳと前記ＰＤＣＣＨとが同一の直交周波数分割多重ＯＦＤＭシンボルを占有すること、又は、前記測位基準信号ＰＲＳと前記ＰＤＣＣＨとが異なる直交周波数分割多重ＯＦＤＭシンボルを占有することを含む。
【０１３２】
ここで、前記測位基準信号ＰＲＳと前記ＰＤＣＣＨとの間に空間疑似コロケーションＱＣＬ関係が存在する場合、前記測位基準信号ＰＲＳと前記ＰＤＣＣＨとが同一の直交周波数分割多重ＯＦＤＭシンボルを占有することは、前記測位基準信号ＰＲＳに対して前記ＰＤＣＣＨをレートマッチングすること、又は、前記測位基準信号ＰＲＳと前記ＰＤＣＣＨが前記直交周波数分割多重ＯＦＤＭシンボル内の同一のＲＥで送信される場合、前記ＲＥにマッピングされた前記ＰＤＣＣＨが前記測位基準信号ＰＲＳによってパンクチャされることを含む。
【０１３３】
別の例において、前記測位基準信号ＰＲＳと前記ＰＤＣＣＨとの間に空間疑似コロケーションＱＣＬ関係がない場合、前記設定情報は、前記測位基準信号ＰＲＳと前記ＰＤＣＣＨとが異なる直交周波数分割多重ＯＦＤＭシンボルを占有することを含む。
【０１３４】
別の実施例において、前記特定の下り信号に前記ＳＳＢが含まれるとする。すると、一例において、前記測位基準信号ＰＲＳと前記ＳＳＢとの間に空間疑似コロケーションＱＣＬ関係が存在し、前記測位基準信号ＰＲＳと前記ＳＳＢとが同じサブキャリア間隔を有する場合、前記設定情報は、前記測位基準信号ＰＲＳと前記ＳＳＢとが同一の直交周波数分割多重ＯＦＤＭシンボルを占有すること、又は、前記測位基準信号ＰＲＳと前記ＳＳＢとが異なる直交周波数分割多重ＯＦＤＭシンボルを占有することを含む。
【０１３５】
ここで、前記測位基準信号ＰＲＳと前記ＳＳＢとが同一の直交周波数分割多重ＯＦＤＭシンボルを占有することは、以下の態様のうちの１つを含む。
（１）前記測位基準信号ＰＲＳと前記ＳＳＢ内の物理ブロードキャストチャネルＰＢＣＨは、前記直交周波数分割多重ＯＦＤＭシンボルで周波数領域位置の異なるリソースブロックＲＢを占有する。
（２）前記直交周波数分割多重ＯＦＤＭシンボル内の同一のＲＥで前記測位基準信号ＰＲＳと前記ＳＳＢとが送信される場合、前記ＲＥにマッピングされた前記測位基準信号ＰＲＳが前記ＳＳＢによってパンクチャされる。
（３）前記直交周波数分割多重ＯＦＤＭシンボル内の同一のＲＥで前記測位基準信号ＰＲＳと前記ＳＳＢとが送信される場合、前記ＲＥにマッピングされた前記ＳＳＢが前記測位基準信号ＰＲＳによってパンクチャされる。
（４）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記測位基準信号ＰＲＳが前記ＰＢＣＨ  ＤＭＲＳ以外のＳＳＢによってパンクチャされる。
（５）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記ＰＢＣＨ  ＤＭＲＳ以外のＳＳＢが前記測位基準信号ＰＲＳによってパンクチャされる。
【０１３６】
別の例において、前記測位基準信号ＰＲＳと前記ＳＳＢとの間に空間疑似コロケーションＱＣＬ関係がない場合、前記設定情報は、前記測位基準信号ＰＲＳと前記ＳＳＢとが異なる直交周波数分割多重ＯＦＤＭシンボルを占有することを含む。
【０１３７】
以上、具体的な実施例を参照して測位基準信号ＰＲＳとチャネル状態情報基準信号ＣＳＩ−ＲＳ、ＰＤＳＣＨ、ＰＤＣＣＨ、ＳＳＢとのリソース占有設定をそれぞれ説明した。以下、端末機器８００が上記設定情報を受信する態様を説明する。
【０１３８】
具体的な受信過程において、端末機器８００は、以下の態様のうちの１つ又は複数に基づいて前記設定情報を受信する。
（１）上位レイヤシグナリングに基づいて前記設定情報を受信する。例えば、ＲＲＣメッセージに基づいて前記設定情報を受信する。
（２）ＭＡＣレイヤシグナリングに基づいて前記設定情報を受信する。
（３）ＤＣＩに基づいて前記設定情報を受信する。
【０１３９】
もちろん、別の実施例において、上記設定情報は、プロトコルによって規定されてもよい。なお、上記設定情報がプロトコルによって規定される場合、端末機器８００は、ネットワーク機器からの上記設定情報を受信せず、プロトコルを照会することによって上記設定情報を取得し、上記設定情報に基づいて測位基準信号ＰＲＳを受信する。
【０１４０】
任意選択で、別の実施例において、図９に示すように、本開示の実施例に係る端末機器８００は、前記設定情報に基づいて、前記測位基準信号ＰＲＳと前記特定の下り信号を受信する第２受信モジュール８０２を更に含む。
【０１４１】
なお、端末機器８００は、上記設定情報を受信した後、上記設定情報に基づいて測位基準信号ＰＲＳと上記特定の下り信号を正しく受信し、受信した測位基準信号ＰＲＳと上記特定の下り信号に基づいて次の処理を行うことによって、通信の有効性を向上させる。
【０１４２】
上記図８〜図９に示す端末機器８００は、上記図４〜図５に示す測位基準信号受信方法の各実施例を実現するために用いられ、関連箇所は、上記の方法の実施例を参照する。
【０１４３】
図１０を参照する。図１０は、本開示の実施例が応用されるネットワーク機器の構造図であり、上記測位基準信号設定方法の詳細を実現することができ、同じ効果を奏することもできる。図１０に示すように、ネットワーク機器１０００は、プロセッサ１００１と、トランシーバ１００２と、メモリ１００３と、ユーザインタフェース１００４と、バスインタフェースを含む。
ここで、本開示の実施例において、ネットワーク機器１０００は、メモリ１００３に格納されてプロセッサ１００１で実行されるコンピュータプログラムを更に含むが、コンピュータプログラムがプロセッサ１００１によって実行されると、上記測位基準信号設定方法の各過程が実現され、且つ同じ効果を奏することもできるため、重複を避けるために、ここでは繰り返して述べない。
【０１４４】
図１０において、バスアーキテクチャは、任意数の相互接続するバスとブリッジを含み、具体的に、プロセッサ１００１をはじめとする１つ又は複数のプロセッサとメモリ１００３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１００２は、複数の部品であってもよく、即ち送信機と受信機を含み、伝送媒体でほかの各種類の装置と通信するユニットとして提供される。ユーザ端末によっては、ユーザインタフェース１００４は、内部接続や外部接続する機器のインタフェースであってもよい。接続する機器は、キーパッド、ディスプレイ、スピーカ、マイクロフォン、ジョイスティックなどを含むが、それらに限られない。
【０１４５】
プロセッサ１００１は、バスアーキテクチャと通常の処理を管理する。メモリ１００３は、プロセッサ１００４による操作実行に使用されるデータを記憶できる。
【０１４６】
図１１は、本開示の別の実施例に係る端末機器の構造図である。図１１に示す端末機器１１００は、少なくとも１つのプロセッサ１１０１と、メモリ１１０２と、少なくとも１つのネットワークインタフェース１１０４と、ユーザインタフェース１１０３を含む。端末１１００における各設定部品は、バスシステム１１０５を介して結合される。バスシステム１１０５は、これらの設定部品の間の接続と通信に用いられることが理解できる。バスシステム１１０５は、データバスのほかに、電源バス、制御バス及び状態信号バスを更に含む。ただし、明確に説明するために、図１１において、各種類のバスをすべてバスシステム１１０５として標記している。
【０１４７】
ここで、ユーザインタフェース１１０３は、ディスプレイ、キーボード又はポインティングデバイス（例えばマウス、トラックボール（ｔｒａｃｋ  ｂａｌｌ））、タッチパネル又はタッチスクリーンなどを含む。
【０１４８】
本開示の実施例におけるメモリ１１０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のシステム及び方法におけるメモリ１１０２は、これらに限られず、これら及びこれら以外の任意の適合する種類のメモリを含むとする。
【０１４９】
一部実施例において、メモリ１１０２には、実行可能なモジュール又はデータ構造、又はそれらのサブセット、又は、それらの拡張セットであるオペレーションシステム１１０２１とアプリケーションプログラム１１０２２が記憶されている。
【０１５０】
ここで、オペレーションシステム１１０２１は、フレーム層、コアライブラリ層、駆動層など各種類のシステムプログラムを含み、各種類のベーシックサービスの実現及びハードウェアに基づくタスクの処理に用いられる。アプリケーションプログラム１１０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の実施例における方法を実現するプログラムは、アプリケーションプログラム１１０２２に含まれる。
【０１５１】
本開示の実施例において、端末機器１１００は、メモリ１１０２に格納されたプロセッサ１１０１で実行されるコンピュータプログラムを更に含む。コンピュータプログラムがプロセッサ１１０１によって実行されると、上記測位基準信号受信方法の各過程を実現することができ、且つ同じ効果を奏することもできるが、重複を避けるために、ここでは繰り返して述べない。
【０１５２】
上記の本開示の実施例に開示される方法は、プロセッサ１１０１に応用可能であり、又はプロセッサ１１０１によって実現される。プロセッサ１１０１は、信号処理能力を有するＩＣチップである。実現プロセスにおいて、上記方法の各ステップは、プロセッサ１１０１におけるハードウェアの集積論理回路又はソフトウェア形式の指令によって遂行される。上記プロセッサ１１０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の実施例に開示される各方法、ステップ及び論理ブロック図を実現し又は実行することができる。汎用プロセッサは、マイクロプロセッサ又は任意の通常プロセッサなどである。本開示の実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知の記憶媒体に位置する。当該記憶媒体は、メモリ１１０２に位置する。プロセッサ１１０１は、メモリ１１０２における情報を読み取って、そのハードウェアと組み合わせて上記方法のステップを遂行する。
【０１５３】
本開示の実施例に記載のこれらの実施例は、ハードウェア、ソフトウェア、ファームウェア、ミドルウェア、マイクロコード又はそれらの組み合わせによって実現される。ハードウェアによる実現について、処理ユニットは、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｉｎｇ）、ＤＳＰＤ（ＤＳＰ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、汎用プロセッサ、コントローラ、マイクロコントローラ、マイクロプロセッサ、それ以外の本開示に記載の機能を実行するための電子ユニット又はそれらの組み合わせで実現される。
【０１５４】
ソフトウェアによる実現について、本開示の実施例に記載の機能を実行するモジュール（例えばプロセス、関数など）によって本開示の実施例に記載の技術を実現することができる。ソフトウェアコードは、メモリに保存されてプロセッサによって実行される。メモリは、プロセッサの中又はプロセッサの外部で実現することができる。
【０１５５】
本開示の実施例は、コンピュータプログラムが可能されているコンピュータ読み取り可能な記憶媒体を更に提供し、該コンピュータプログラムがプロセッサによって実行されると、上記測位基準信号設定方法又は上記測位基準信号受信方法の実施例の各過程を実現することができ、且つ同じ効果を奏することもできるが、重複を避けるために、ここでは繰り返して述べない。前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１５６】
本開示の実施例は、コマンドを含むコンピュータプログラムプロダクトをさらに含む。コンピュータで前記コンピュータプログラムプロダクトの前記コマンドを実行すると、前記コンピュータは、上記測位基準信号設定方法又は上記測位基準信号受信方法を実行する。具体的には、該コンピュータプログラムプロダクトは、上記ネットワーク機器で実行できる。
【０１５７】
本明細書に開示された実施例に記載の各例のユニット及びアルゴリズムのステップが、電子ハードウェア、又はコンピュータソフトウェアと電子ハードウェアの組み合わせによって実現可能であることは、当業者が理解できる。これらの機能がハードウェアによって実行されるか、それともソフトウェアによって実行されるかは、技術手段の特定な応用や設計の制限条件によって決められる。当業者は、各特定な応用に対し、異なる方法によって記載の機能を実現することができるが、これらの実現は、本開示の範囲を超えたものとされるべきではない。
【０１５８】
記載の便利や簡潔化のために、以上記載したシステム、装置及びユニットの具体的な動作プロセスは、前記方法の実施例における対応プロセスを参照されたく、ここでは繰り返して記載しない。これは、当業者にとって自明である。
【０１５９】
本開示で提供されるいくつかの実施例において、開示された装置及び方法は、他の方式で実施されることを理解されたい。以上記載した装置実施例は、単に例示的なものである。例えば、記載したユニットの区分は、単に論理機能の区分であり、実際に実現する際に別の区分方式がある。例えば、複数のユニット又はコンポーネントは、組み合わせてもよく、別のシステムに一体化されてもよく、又は、一部の特徴は、無視されてもよく、又は実行されなくてもよい。また、示されており又は議論されている各設定部分の相互間の結合や直接結合や通信接続は、インタフェース、装置又はユニットを介した間接結合や通信接続であってもよく、電気的、機械的、又は他の形式であってもよい。
【０１６０】
以上個別部品として説明したユニットは、物理的に離間したものであってもよく、そうでなくてもよい。ユニットとして示した部品は、物理ユニットであってもよく、そうでなくてもよい。即ち、一箇所に位置してもよく、複数のネットワークユニットに位置してもよい。実際の必要に応じてそのうちの一部又はすべてのユニットを選択して本開示の実施例の目的を実現する。
【０１６１】
また、本開示の各実施例における各機能的ユニットは、１つの処理ユニットに一体化されていてもよいし、物理的に別々に設けられていてもよいし、２つ以上が一体化されてもよい。
【０１６２】
前記機能は、ソフトウェア機能モジュールの形式で実現され独立した製品として販売又は使用される場合、コンピュータ読み取り可能な記憶媒体に格納されてもよい。このような理解に基づき、本開示の技術手段の実質的又は従来技術に貢献した部分、又は当該技術手段の部分は、ソフトウェアプロダクトの形式で現れる。当該コンピュータソフトウェアプロダクトは、記憶媒体に記憶され、本開示の各実施例に記載の方法のすべて又は一部のステップをコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなど、プログラムコードを格納することができる様々な媒体を含む。
【０１６３】
以上の記載は、単に本開示の具体的な実施形態であるが、本開示の保護範囲は、これらに限定されない。当業者が本開示によって開示されている技術範囲内で容易に想到できる変化や置換は、すべて本開示の保護範囲内に含まれる。よって、本開示の保護範囲は、特許請求の範囲の保護範囲を基準とするべきである。
【図１】
2021529495.tif 000003
【図２】
2021529495.tif 000004
【図３】
2021529495.tif 000005
【図４】
2021529495.tif 000006
【図５】
2021529495.tif 000007
【図６】
2021529495.tif 000008
【図７】
2021529495.tif 000009
【図８】
2021529495.tif 000010
【図９】
2021529495.tif 000011
【図１０】
2021529495.tif 000012
【図１１】
2021529495.tif 000013
【手続補正書】
【提出日】令和3年2月1日(2021.2.1)
【手続補正１】
【補正対象書類名】明細書
【補正対象項目名】００５６
【補正方法】変更
【補正の内容】
【００５６】
該例において、前記測位基準信号ＰＲＳと前記ＳＳＢとが同一の直交周波数分割多重ＯＦＤＭシンボルを占有するようにネットワーク機器によって設定する態様は、以下の態様のうちのいずれかである。
（１）前記測位基準信号ＰＲＳと前記ＳＳＢ内の物理ブロードキャストチャネルＰＢＣＨは、前記直交周波数分割多重ＯＦＤＭシンボル内で周波数領域位置の異なるリソースブロックＲＢ（Ｒｅｓｏｕｒｃｅ  Ｂｌｏｃｋ）を占有する。又は、前記測位基準信号ＰＲＳによって占有される前記直交周波数分割多重ＯＦＤＭシンボルでの周波数領域位置は、前記ＳＳＢ内の物理ブロードキャストチャネルＰＢＣＨによって占有されるＲＢ外部のリソースブロックＲＢにある。
ＳＳＢは、一次同期信号ＰＳＳ（Ｐｒｉｍａｒｙ  Ｓｙｎｃｈｒｏｎｉｚａｔｉｏｎ  Ｓｉｇｎａｌ）、二次同期信号ＳＳＳ（Ｓｅｃｏｎｄａｒｙ  Ｓｙｎｃｈｒｏｎｉｚａｔｉｏｎ  Ｓｉｇｎａｌ）、物理ブロードキャストチャネルＰＢＣＨ（Ｐｈｙｓｉｃａｌ  Ｂｒｏａｄｃａｓｔ  Ｃｈａｎｎｅｌ）及び物理ブロードキャストチャネル復調基準信号ＰＢＣＨ−ＤＭＲＳ（Ｐｈｙｓｉｃａｌ  Ｂｒｏａｄｃａｓｔ  Ｃｈａｎｎｅｌ−Ｄｅｍｏｄｕｌａｔｉｏｎ  Ｒｅｆｅｒｅｎｃｅ  Ｓｉｇｎａｌ）などの信号を含む。
この方式は、測位基準信号ＰＲＳとＳＳＢとが同一の直交周波数分割多重ＯＦＤＭシンボルで周波数領域位置の異なるＲＢを占有することに拡張することができる。例えば、図２を参照し、図２は、４つの直交周波数分割多重ＯＦＤＭシンボルにおけるリソースマッピング受信の概略図を示す。図２に示すように、この４つの直交周波数分割多重ＯＦＤＭシンボルには、ＮＲ−ＰＳＳ、ＮＲ−ＳＳＳ、ＮＲ−ＰＢＣＨ及びＮＲ−ＰＢＣＨ−ＤＭＲＳがマッピングされており、この４つの直交周波数分割多重ＯＦＤＭシンボルには、ＳＳＢによって占有されたＲＢが計２０個含まれており、ネットワーク機器は、測位基準信号ＰＲＳをこの２０個のＲＢ外部のＲＢに設定し、最初の直交周波数分割多重ＯＦＤＭシンボルがＳＳＢによって満杯に占有されていなくても（図２の塗りつぶしパターンのない部分）、この２０個のＲＢの外部のＲＢに測位基準信号ＰＲＳを設定する。図２に示される例では、１つのＲＢに１２個の連続するサブキャリアが含まれる。
（２）前記直交周波数分割多重ＯＦＤＭシンボル内の同一のＲＥで前記測位基準信号ＰＲＳと前記ＳＳＢとが送信される場合、前記ＲＥにマッピングされた前記測位基準信号ＰＲＳが前記ＳＳＢによってパンクチャされる。
即ち、ネットワーク機器は、測位基準信号ＰＲＳとＳＳＢとが同じ直交周波数分割多重ＯＦＤＭシンボルを占有するように設定し、且つ前記測位基準信号ＰＲＳと前記ＳＳＢが前記直交周波数分割多重ＯＦＤＭシンボル内の同一のＲＥで送信される場合、前記ＲＥにマッピングされた測位基準信号ＰＲＳを破棄し、前記ＳＳＢを前記ＲＥにマッピングする。
（３）前記直交周波数分割多重ＯＦＤＭシンボル内の同一のＲＥで前記測位基準信号ＰＲＳと前記ＳＳＢとが送信される場合、前記ＲＥにマッピングされた前記ＳＳＢが前記測位基準信号ＰＲＳによってパンクチャされる。
即ち、ネットワーク機器は、測位基準信号ＰＲＳとＳＳＢとが同じ直交周波数分割多重ＯＦＤＭシンボルを占有するように設定し、且つ前記測位基準信号ＰＲＳと前記ＳＳＢが前記直交周波数分割多重ＯＦＤＭシンボル内の同一のＲＥで送信される場合、前記ＲＥにマッピングされたＳＳＢを破棄し、前記測位基準信号ＰＲＳを前記ＲＥにマッピングする。
（４）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記測位基準信号ＰＲＳが前記ＰＢＣＨ  ＤＭＲＳ以外のＳＳＢによってパンクチャされる。
即ち、ネットワーク機器は、測位基準信号ＰＲＳとＳＳＢとが同じ直交周波数分割多重ＯＦＤＭシンボルを占有するように設定し、前記測位基準信号ＰＲＳと前記ＳＳＢ内のＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記測位基準信号ＰＲＳを破棄し、前記ＰＢＣＨ  ＤＭＲＳ以外のＳＳＢを前記ＲＥにマッピングする。
（５）前記測位基準信号ＰＲＳと前記ＳＳＢ内の物理ブロードキャストチャネル復調基準信号ＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記ＰＢＣＨ  ＤＭＲＳ以外のＳＳＢが前記測位基準信号ＰＲＳによってパンクチャされる。
即ち、ネットワーク機器は、測位基準信号ＰＲＳとＳＳＢとが同じ直交周波数分割多重ＯＦＤＭシンボルを占有するように設定し、且つ前記測位基準信号ＰＲＳと前記ＳＳＢ内のＰＢＣＨ  ＤＭＲＳが前記直交周波数分割多重ＯＦＤＭシンボル内の同一のＲＥで送信される場合、前記測位基準信号ＰＲＳと前記ＰＢＣＨ  ＤＭＲＳとが前記ＲＥを共有し、且つ前記測位基準信号ＰＲＳと前記ＰＢＣＨ  ＤＭＲＳ以外のＳＳＢが前記直交周波数分割多重ＯＦＤＭシンボル内の同一のＲＥで送信される場合、前記ＲＥにマッピングされた前記ＰＢＣＨ  ＤＭＲＳ以外のＳＳＢを破棄し、前記測位基準信号ＰＲＳを前記ＲＥにマッピングする。
【手続補正２】
【補正対象書類名】特許請求の範囲
【補正対象項目名】全文
【補正方法】変更
【補正の内容】
【特許請求の範囲】
【請求項１】
ネットワーク機器に応用される測位基準信号設定方法であって、
測位基準信号ＰＲＳと特定の下り信号との間の空間疑似コロケーションＱＣＬ関係に基づいて、前記測位基準信号ＰＲＳと前記特定の下り信号に占有されるリソースを決定するための設定情報を送信することを含み、
前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む、測位基準信号設定方法。
【請求項２】
前記特定の下り信号に前記ＳＳＢが含まれ、且つ前記測位基準信号ＰＲＳと前記ＳＳＢとの間に空間疑似コロケーションＱＣＬ関係が存在する場合、前記設定情報は、前記測位基準信号ＰＲＳと前記ＳＳＢとが同一の直交周波数分割多重ＯＦＤＭシンボルを占有すること、又は、前記測位基準信号ＰＲＳと前記ＳＳＢとが異なる直交周波数分割多重ＯＦＤＭシンボルを占有することを含み、
前記特定の下り信号に前記ＳＳＢが含まれ、且つ前記測位基準信号ＰＲＳと前記ＳＳＢとの間に空間疑似コロケーションＱＣＬ関係がない場合、前記設定情報は、前記測位基準信号ＰＲＳと前記ＳＳＢとが異なる直交周波数分割多重ＯＦＤＭシンボルを占有することを含む、請求項１に記載の測位基準信号設定方法。
【請求項３】
前記測位基準信号ＰＲＳと前記ＳＳＢとが同一の直交周波数分割多重ＯＦＤＭシンボルを占有する場合、前記測位基準信号ＰＲＳと前記ＳＳＢとは、同じサブキャリア間隔を有する、請求項２に記載の測位基準信号設定方法。
【請求項４】
前記設定情報に基づいて、前記測位基準信号ＰＲＳ及び前記特定の下り信号を送信することを更に含む、請求項１に記載の測位基準信号設定方法。
【請求項５】
前記特定の下り信号に前記ＣＳＩ−ＲＳが含まれ、且つ前記測位基準信号ＰＲＳと前記ＣＳＩ−ＲＳとの間に空間疑似コロケーションＱＣＬ関係が存在する場合、前記設定情報は、前記測位基準信号ＰＲＳと前記ＣＳＩ−ＲＳとが同一の直交周波数分割多重ＯＦＤＭシンボルを占有することを含み、
前記特定の下り信号に前記ＣＳＩ−ＲＳが含まれ、且つ前記測位基準信号ＰＲＳと前記ＣＳＩ−ＲＳとの間に空間疑似コロケーションＱＣＬ関係がない場合、前記設定情報は、前記測位基準信号ＰＲＳと前記ＣＳＩ−ＲＳとが異なる直交周波数分割多重ＯＦＤＭシンボルを占有することを含み、
又は、
前記特定の下り信号に前記ＰＤＳＣＨが含まれ、且つ前記測位基準信号ＰＲＳと前記ＰＤＳＣＨとの間に空間疑似コロケーションＱＣＬ関係が存在する場合、前記設定情報は、前記測位基準信号ＰＲＳと前記ＰＤＳＣＨとが同一の直交周波数分割多重ＯＦＤＭシンボルを占有すること、又は、前記測位基準信号ＰＲＳと前記ＰＤＳＣＨとが異なる直交周波数分割多重ＯＦＤＭシンボルを占有することを含み、
前記特定の下り信号に前記ＰＤＳＣＨが含まれ、且つ前記測位基準信号ＰＲＳと前記ＰＤＳＣＨとの間に空間疑似コロケーションＱＣＬ関係がない場合、前記設定情報は、前記測位基準信号ＰＲＳと前記ＰＤＳＣＨとが異なる直交周波数分割多重ＯＦＤＭシンボルを占有することを含み、
又は、
前記特定の下り信号に前記ＰＤＣＣＨが含まれ、且つ前記測位基準信号ＰＲＳと前記ＰＤＣＣＨとの間に空間疑似コロケーションＱＣＬ関係が存在する場合、前記設定情報は、前記測位基準信号ＰＲＳと前記ＰＤＣＣＨとが同一の直交周波数分割多重ＯＦＤＭシンボルを占有すること、又は、前記測位基準信号ＰＲＳと前記ＰＤＣＣＨとが異なる直交周波数分割多重ＯＦＤＭシンボルを占有することを含み、
前記特定の下り信号に前記ＰＤＣＣＨが含まれ、且つ前記測位基準信号ＰＲＳと前記ＰＤＣＣＨとの間に空間疑似コロケーションＱＣＬ関係がない場合、前記設定情報は、前記測位基準信号ＰＲＳと前記ＰＤＣＣＨとが異なる直交周波数分割多重ＯＦＤＭシンボルを占有することを含む、請求項１に記載の測位基準信号設定方法。
【請求項６】
前記測位基準信号ＰＲＳと前記ＣＳＩ−ＲＳとが同一の直交周波数分割多重ＯＦＤＭシンボルを占有することは、
前記測位基準信号ＰＲＳと前記ＣＳＩ−ＲＳとが同一の直交周波数分割多重ＯＦＤＭシンボル上の異なるリソースエレメントＲＥを周波数分割多重すること、又は、前記測位基準信号ＰＲＳと前記ＣＳＩ−ＲＳが前記直交周波数分割多重ＯＦＤＭシンボル内の同一のＲＥで送信される場合、前記測位基準信号ＰＲＳと前記ＣＳＩ−ＲＳとが前記同一のＲＥを共有することを含み、
前記測位基準信号ＰＲＳと前記ＰＤＳＣＨとが同一の直交周波数分割多重ＯＦＤＭシンボルを占有することは、
前記測位基準信号ＰＲＳに対して前記ＰＤＳＣＨをレートマッチングすること、又は、前記測位基準信号ＰＲＳと前記ＰＤＳＣＨが前記直交周波数分割多重ＯＦＤＭシンボル内の同一のＲＥで送信される場合、前記ＲＥにマッピングされた前記ＰＤＳＣＨが前記測位基準信号ＰＲＳによってパンクチャされることを含み、
前記測位基準信号ＰＲＳと前記ＰＤＳＣＨとの間に空間疑似コロケーションＱＣＬ関係が存在する場合、前記測位基準信号ＰＲＳと前記ＰＤＳＣＨとが異なる直交周波数分割多重ＯＦＤＭシンボルを占有することは、
前記測位基準信号ＰＲＳと前記ＰＤＳＣＨとが同一のスロット内の異なる直交周波数分割多重ＯＦＤＭシンボルを占有すること、又は、前記測位基準信号ＰＲＳと前記ＰＤＳＣＨとが異なるスロット内の直交周波数分割多重ＯＦＤＭシンボルを占有することを含み、
前記測位基準信号ＰＲＳと前記ＰＤＣＣＨとが同一の直交周波数分割多重ＯＦＤＭシンボルを占有することは、
前記測位基準信号ＰＲＳに対して前記ＰＤＣＣＨをレートマッチングすること、又は、前記測位基準信号ＰＲＳと前記ＰＤＣＣＨが前記直交周波数分割多重ＯＦＤＭシンボル内の同一のＲＥで送信される場合、前記ＲＥにマッピングされた前記ＰＤＣＣＨが前記測位基準信号ＰＲＳによってパンクチャされることを含む、請求項５に記載の測位基準信号設定方法。
【請求項７】
端末機器に応用される測位基準信号受信方法であって、
測位基準信号ＰＲＳと特定の下り信号との間の空間疑似コロケーションＱＣＬ関係に基づいて、ネットワーク機器によって送信された設定情報であって、前記測位基準信号ＰＲＳと前記特定の下り信号に占有されるリソースを決定するための設定情報を受信することを含み、
前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む、測位基準信号受信方法。
【請求項８】
前記特定の下り信号に前記ＳＳＢが含まれ、且つ前記測位基準信号ＰＲＳと前記ＳＳＢとの間に空間疑似コロケーションＱＣＬ関係が存在する場合、前記設定情報は、前記測位基準信号ＰＲＳと前記ＳＳＢとが同一の直交周波数分割多重ＯＦＤＭシンボルを占有すること、又は、前記測位基準信号ＰＲＳと前記ＳＳＢとが異なる直交周波数分割多重ＯＦＤＭシンボルを占有することを含み、
前記特定の下り信号に前記ＳＳＢが含まれ、且つ前記測位基準信号ＰＲＳと前記ＳＳＢとの間に空間疑似コロケーションＱＣＬ関係がない場合、前記設定情報は、前記測位基準信号ＰＲＳと前記ＳＳＢとが異なる直交周波数分割多重ＯＦＤＭシンボルを占有することを含む、請求項７に記載の測位基準信号受信方法。
【請求項９】
前記測位基準信号ＰＲＳと前記ＳＳＢとが同一の直交周波数分割多重ＯＦＤＭシンボルを占有する場合、前記測位基準信号ＰＲＳと前記ＳＳＢとは、同じサブキャリア間隔を有する、請求項８に記載の測位基準信号受信方法。
【請求項１０】
前記測位基準信号ＰＲＳと前記ＳＳＢとの間に空間疑似コロケーションＱＣＬ関係がない場合、前記端末が前記ＳＳＢのみを受信する、請求項８に記載の測位基準信号受信方法。
【請求項１１】
前記特定の下り信号に前記ＣＳＩ−ＲＳが含まれ、且つ前記測位基準信号ＰＲＳと前記ＣＳＩ−ＲＳとの間に空間疑似コロケーションＱＣＬ関係が存在する場合、前記設定情報は、前記測位基準信号ＰＲＳと前記ＣＳＩ−ＲＳとが同一の直交周波数分割多重ＯＦＤＭシンボルを占有することを含み、
前記特定の下り信号に前記ＣＳＩ−ＲＳが含まれ、且つ前記測位基準信号ＰＲＳと前記ＣＳＩ−ＲＳとの間に空間疑似コロケーションＱＣＬ関係がない場合、前記設定情報は、前記測位基準信号ＰＲＳと前記ＣＳＩ−ＲＳとが異なる直交周波数分割多重ＯＦＤＭシンボルを占有することを含み、
又は、
前記特定の下り信号に前記ＰＤＳＣＨが含まれ、且つ前記測位基準信号ＰＲＳと前記ＰＤＳＣＨとの間に空間疑似コロケーションＱＣＬ関係が存在する場合、前記設定情報は、前記測位基準信号ＰＲＳと前記ＰＤＳＣＨとが同一の直交周波数分割多重ＯＦＤＭシンボルを占有すること、又は、前記測位基準信号ＰＲＳと前記ＰＤＳＣＨとが異なる直交周波数分割多重ＯＦＤＭシンボルを占有することを含み、
前記特定の下り信号に前記ＰＤＳＣＨが含まれ、且つ前記測位基準信号ＰＲＳと前記ＰＤＳＣＨとの間に空間疑似コロケーションＱＣＬ関係がない場合、前記設定情報は、前記測位基準信号ＰＲＳと前記ＰＤＳＣＨとが異なる直交周波数分割多重ＯＦＤＭシンボルを占有することを含み、
又は、
前記特定の下り信号に前記ＰＤＣＣＨが含まれ、且つ前記測位基準信号ＰＲＳと前記ＰＤＣＣＨとの間に空間疑似コロケーションＱＣＬ関係が存在する場合、前記設定情報は、前記測位基準信号ＰＲＳと前記ＰＤＣＣＨとが同一の直交周波数分割多重ＯＦＤＭシンボルを占有すること、又は、前記測位基準信号ＰＲＳと前記ＰＤＣＣＨとが異なる直交周波数分割多重ＯＦＤＭシンボルを占有することを含み、
前記特定の下り信号に前記ＰＤＣＣＨが含まれ、且つ前記測位基準信号ＰＲＳと前記ＰＤＣＣＨとの間に空間疑似コロケーションＱＣＬ関係がない場合、前記設定情報は、前記測位基準信号ＰＲＳと前記ＰＤＣＣＨとが異なる直交周波数分割多重ＯＦＤＭシンボルを占有することを含む、請求項７に記載の測位基準信号受信方法。
【請求項１２】
前記測位基準信号ＰＲＳと前記ＣＳＩ−ＲＳとが同一の直交周波数分割多重ＯＦＤＭシンボルを占有することは、
前記測位基準信号ＰＲＳと前記ＣＳＩ−ＲＳとが同一の直交周波数分割多重ＯＦＤＭシンボル上の異なるリソースエレメントＲＥを周波数分割多重すること、又は、前記測位基準信号ＰＲＳと前記ＣＳＩ−ＲＳが前記直交周波数分割多重ＯＦＤＭシンボル内の同一のＲＥで送信される場合、前記測位基準信号ＰＲＳと前記ＣＳＩ−ＲＳとが前記同一のＲＥを共有することを含み、
前記測位基準信号ＰＲＳと前記ＰＤＳＣＨとが同一の直交周波数分割多重ＯＦＤＭシンボルを占有することは、
前記測位基準信号ＰＲＳに対して前記ＰＤＳＣＨをレートマッチングすること、又は、前記測位基準信号ＰＲＳと前記ＰＤＳＣＨが前記直交周波数分割多重ＯＦＤＭシンボル内の同一のＲＥで送信される場合、前記ＲＥにマッピングされた前記ＰＤＳＣＨが前記測位基準信号ＰＲＳによってパンクチャされることを含み、
前記測位基準信号ＰＲＳと前記ＰＤＳＣＨとの間に空間疑似コロケーションＱＣＬ関係が存在する場合、前記測位基準信号ＰＲＳと前記ＰＤＳＣＨとが異なる直交周波数分割多重ＯＦＤＭシンボルを占有することは、
前記測位基準信号ＰＲＳと前記ＰＤＳＣＨとが同一のスロット内の異なる直交周波数分割多重ＯＦＤＭシンボルを占有すること、又は、前記測位基準信号ＰＲＳと前記ＰＤＳＣＨとが異なるスロット内の直交周波数分割多重ＯＦＤＭシンボルを占有することを含み、
前記測位基準信号ＰＲＳと前記ＰＤＣＣＨとが同一の直交周波数分割多重ＯＦＤＭシンボルを占有することは、
前記測位基準信号ＰＲＳに対して前記ＰＤＣＣＨをレートマッチングすること、又は、前記測位基準信号ＰＲＳと前記ＰＤＣＣＨが前記直交周波数分割多重ＯＦＤＭシンボル内の同一のＲＥで送信される場合、前記ＲＥにマッピングされた前記ＰＤＣＣＨが前記測位基準信号ＰＲＳによってパンクチャされることを含む、請求項１１に記載の測位基準信号受信方法。
【請求項１３】
上位レイヤシグナリング、ＭＡＣレイヤシグナリング、又は下り制御情報ＤＣＩのうちの１つ又は複数に基づいて、前記設定情報を受信し、
前記の測位基準信号受信方法は、
前記設定情報に基づいて、前記測位基準信号ＰＲＳ及び前記特定の下り信号を受信することを更に含む、請求項７に記載の測位基準信号受信方法。
【請求項１４】
測位基準信号ＰＲＳと特定の下り信号との間の空間疑似コロケーションＱＣＬ関係に基づいて、前記測位基準信号ＰＲＳと前記特定の下り信号に占有されるリソースを決定するための設定情報を送信する第１送信モジュールを含み、
前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む、ネットワーク機器。
【請求項１５】
測位基準信号ＰＲＳと特定の下り信号との間の空間疑似コロケーションＱＣＬ関係に基づいて、ネットワーク機器によって送信された設定情報であって、前記測位基準信号ＰＲＳと前記特定の下り信号に占有されるリソースを決定するための設定情報を受信する第１受信モジュールを含み、
前記特定の下り信号は、チャネル状態情報基準信号ＣＳＩ−ＲＳ、物理下り共有チャネルＰＤＳＣＨ、物理下り制御チャネルＰＤＣＣＨ、及び同期信号ブロックＳＳＢのうちの１つ又は複数を含む、端末機器。
【国際調査報告】
2021529495.tif 000014
2021529495.tif 000015
2021529495.tif 000016
2021529495.tif 000017
2021529495.tif 000018
2021529495.tif 000019